(57)【特許請求の範囲】
【請求項１】
バックホールリンクにわたってキャリアをアグリゲートするための方法であって、
バックホールリンクを通じて発展型ノードＢ（ｅＮＢ）と通信するように構成された、複数のキャリアのうちの少なくとも第１のキャリアの第１のサブフレームのセットを決定することと、
バックホールリンク通信のために構成された、前記複数のキャリアのうちの少なくとも第２のキャリアの第２のサブフレームのセットを決定することと、ここで、前記第２のサブフレームのセットは、前記第１のサブフレームのセットとは異なる、
複数のアクセスリンクキャリアを通じて受信されたデータを、少なくとも前記第１のサブフレームのセットおよび前記第２のサブフレームのセットに基づいて前記第１のキャリアおよび前記第２のキャリアを通じて前記ｅＮＢに通信することと
を備え、前記第２のサブフレームのセットは、前記第１のサブフレームのセットのサブセットである、方法。
【請求項２】
前記第２のサブフレームのセットが前記第１のサブフレームのセットのサブセットであるという決定に少なくとも部分的に基づいて、前記第１のキャリアをプライマリコンポーネントキャリアとして決定することをさらに備える、
請求項１に記載の方法。
【請求項３】
前記第２のキャリア上で受信されるデータ送信について、前記第１のキャリア上で肯定応答／否定応答（ＡＣＫ／ＮＡＫ）を送信することをさらに備える、
請求項２に記載の方法。
【請求項４】
前記第１のキャリアに対して指定されている第１のＡＣＫ／ＮＡＫ送信タイムラインに基づいて、前記第２のキャリアに対する第２のＡＣＫ／ＮＡＫ送信タイムラインを決定することをさらに備える、
請求項３に記載の方法。
【請求項５】
前記第２のキャリア上でのデータ送信について、前記第１のキャリア上でダウンリンク許可を受信することをさらに備え、前記ダウンリンク許可は、前記第１のキャリアに対するダウンリンク許可送信タイムラインに従って受信される、
請求項２に記載の方法。
【請求項６】
前記第２のキャリア上でのデータ送信について、前記第１のキャリア上でアップリンク許可を受信することをさらに備え、前記アップリンク許可は、前記第１のキャリアに対するアップリンク許可送信タイムラインに従って受信される、
請求項２に記載の方法。
【請求項７】
前記第２のキャリア上でのデータ送信について、前記第１のキャリア上で肯定応答／否定応答（ＡＣＫ／ＮＡＫ）を受信することと、
前記第１のキャリアに対して指定されている第１のＡＣＫ／ＮＡＫ受信タイムラインに基づいて、前記第２のキャリアに対する第２のＡＣＫ／ＮＡＫ受信タイムラインを決定することと
をさらに備える、請求項２に記載の方法。
【請求項８】
前記第１のキャリアは、前記第１のサブフレームのセットのうちの１つまたは複数のサブフレームにおいてダウンリンクおよびアップリンク通信を提供するために周波数分割複信（ＦＤＤ）を使用し、前記第１のキャリアは、前記複数のアクセスリンクキャリアのうちの少なくとも１つでもある、
請求項１に記載の方法。
【請求項９】
前記第１のサブフレームのセット内のダウンリンクサブフレームの数は、バックホールリンク通信のための前記第１のサブフレームのセット内のアップリンクサブフレームの数と同じである、
請求項８に記載の方法。
【請求項１０】
前記第１のサブフレームのセット内のダウンリンクサブフレームの数は、バックホールリンク通信のための前記第１のサブフレームのセット内のアップリンクサブフレームの数よりも大きい、
請求項８に記載の方法。
【請求項１１】
前記第２のキャリアは、前記第２のサブフレームのセットのうちの所与のサブフレームにおいてダウンリンクまたはアップリンク通信を提供するために時分割複信（ＴＤＤ）を使用する、
請求項１に記載の方法。
【請求項１２】
前記第１のキャリアは、アクセスリンク通信のためには構成されず、前記第２のサブフレームのセットのうちの少なくとも１つのサブフレームはアクセスリンク通信のために構成される、
請求項１に記載の方法。
【請求項１３】
前記複数のキャリアにおいて第３のキャリアを決定することをさらに備え、前記第１のキャリアは、バックホールリンク通信のために構成され、前記第２のキャリアは、バックホールリンク通信およびアクセスリンク通信のために構成され、前記第３のキャリアは、アクセスリンク通信のために構成される、
請求項１に記載の方法。
【請求項１４】
バックホールリンクにわたってキャリアをアグリゲートするための装置であって、
バックホールリンクを通じて発展型ノードＢ（ｅＮＢ）と通信するように構成された、複数のキャリアのうちの少なくとも第１のキャリアの第１のサブフレームのセットを決定するための手段と、前記複数のキャリアのうちの少なくとも第２のキャリアの第２のサブフレームのセットを決定するための手段と、ここで、前記第２のサブフレームのセットは前記第１のサブフレームのセットとは異なる、
複数のアクセスリンクキャリアを通じて受信されたデータを、少なくとも前記第１のサブフレームのセットおよび前記第２のサブフレームのセットに基づいて前記第１のキャリアおよび前記第２のキャリアを通じて前記ｅＮＢに通信するための手段と
を備え、前記第２のサブフレームのセットは、前記第１のサブフレームのセットのサブセットである、装置。
【請求項１５】
前記第２のサブフレームのセットが前記第１のサブフレームのセットのサブセットであるという決定に少なくとも部分的に基づいて、前記第１のキャリアをプライマリコンポーネントキャリアとして決定するための手段をさらに備える、
請求項１４に記載の装置。
【請求項１６】
前記通信するための手段は、前記第１のキャリアを通じて、前記第２のキャリアに対するＡＣＫ／ＮＡＫフィードバックおよびダウンリンク／アップリンク許可を受信する、
請求項１５に記載の装置。
【請求項１７】
前記第１のキャリアは、前記第１のサブフレームのセットのうちの１つまたは複数のサブフレームにおいてダウンリンクおよびアップリンク通信を提供するために周波数分割複信（ＦＤＤ）を使用し、前記第１のキャリアは、前記複数のアクセスリンクキャリアのうちの少なくとも１つでもある、
請求項１４に記載の装置。
【請求項１８】
前記第２のキャリアは、前記第２のサブフレームのセットのうちの所与のサブフレームにおいてダウンリンクまたはアップリンク通信を提供するために時分割複信（ＴＤＤ）を使用する、
請求項１４に記載の装置。
【請求項１９】
コンピュータに、バックホールリンクを通じて発展型ノードＢ（ｅＮＢ）と通信するように構成された、複数のキャリアのうちの少なくとも第１のキャリアの第１のサブフレームのセットを決定させるためのコードと、
前記コンピュータに、バックホールリンク通信のために構成された、前記複数のキャリアのうちの少なくとも第２のキャリアの第２のサブフレームのセットを決定させるためのコードと、ここで、前記第２のサブフレームのセットは前記第１のサブフレームのセットとは異なる、
前記コンピュータに、複数のアクセスリンクキャリアを通じて受信されたデータを、少なくとも前記第１のサブフレームのセットおよび前記第２のサブフレームのセットに基づいて前記第１のキャリアおよび前記第２のキャリアを通じて前記ｅＮＢに通信させるためのコードと
を備え、前記第２のサブフレームのセットは、前記第１のサブフレームのセットのサブセットである、コンピュータプログラム。
【請求項２０】
前記コンピュータに、前記第２のサブフレームのセットが前記第１のサブフレームのセットのサブセットであるという決定に少なくとも部分的に基づいて、前記第１のキャリアをプライマリコンポーネントキャリアとして決定させるためのコードをさらに備える、
請求項１９に記載のコンピュータプログラム。
【請求項２１】
前記コンピュータに通信させるための前記コードは、前記第１のキャリアを通じて、前記第２のキャリアに対するＡＣＫ／ＮＡＣＫフィードバックおよびダウンリンク／アップリンク許可を受信する、
請求項２０に記載のコンピュータプログラム。
【請求項２２】
前記第１のキャリアは、前記第１のサブフレームのセットのうちの１つまたは複数のサブフレームにおいてダウンリンクおよびアップリンク通信を提供するために周波数分割複信（ＦＤＤ）を使用し、前記第１のキャリアは、前記複数のアクセスリンクキャリアのうちの少なくとも１つでもある、
請求項１９に記載のコンピュータプログラム。
【請求項２３】
前記第２のキャリアは、前記第２のサブフレームのセットのうちの所与のサブフレームにおいてダウンリンクまたはアップリンク通信を提供するために時分割複信（ＴＤＤ）を使用する、
請求項１９に記載のコンピュータプログラム。
【請求項２４】
バックホールリンクにわたってキャリアをアグリゲートするためのワイヤレス通信デバイスであって、
プロセッサと、
前記プロセッサと電子通信しているメモリと、
前記メモリに記憶された命令と
を備え、前記命令は、前記プロセッサによって、
バックホールリンクを通じて発展型ノードＢ（ｅＮＢ）と通信するように構成された、複数のキャリアのうちの少なくとも第１のキャリアの第１のサブフレームのセットを決定することと、
バックホールリンク通信のために構成された、前記複数のキャリアのうちの少なくとも第２のキャリアの第２のサブフレームのセットを決定することと、ここで、前記第２のサブフレームのセットは、前記第１のサブフレームのセットとは異なる、
複数のアクセスリンクキャリアを通じて受信されたデータを、少なくとも前記第１のサブフレームのセットおよび前記第２のサブフレームのセットに基づいて前記第１のキャリアおよび前記第２のキャリアを通じて前記ｅＮＢに通信することと
を行うために実行可能であり、前記第２のサブフレームのセットは、前記第１のサブフレームのセットのサブセットである、ワイヤレス通信デバイス。
【請求項２５】
前記命令は、前記プロセッサによって、さらに、前記第２のサブフレームのセットが前記第１のサブフレームのセットのサブセットであるという決定に少なくとも部分的に基づいて、前記第１のキャリアをプライマリコンポーネントキャリアとして決定するために実行可能である、
請求項２４に記載のワイヤレス通信デバイス。
【請求項２６】
前記命令は、前記プロセッサによって、前記第１のキャリアを通じて、前記第２のキャリアに対するＡＣＫ／ＮＡＣＫフィードバックおよびダウンリンク／アップリンク許可を通信受信するために実行可能である、
請求項２５に記載のワイヤレス通信デバイス。
【請求項２７】
前記第１のキャリアは、前記第１のサブフレームのセットのうちの１つまたは複数のサブフレームにおいてダウンリンクおよびアップリンク通信を提供するために周波数分割複信（ＦＤＤ）を使用し、前記第１のキャリアは、前記複数のアクセスリンクキャリアのうちの少なくとも１つでもある、
請求項２４に記載のワイヤレス通信デバイス。
【請求項２８】
前記第２のキャリアは、前記第２のサブフレームのセットのうちの所与のサブフレームにおいてダウンリンクまたはアップリンク通信を提供するために時分割複信（ＴＤＤ）を使用する、
請求項２４に記載のワイヤレス通信デバイス。
【請求項２９】
バックホールリンクにわたってキャリアをアグリゲートするための装置であって、
バックホールリンクを通じて発展型ノードＢ（ｅＮＢ）と通信するように構成された、複数のキャリアのうちの少なくとも第１のキャリアの第１のサブフレームのセットを決定し、前記複数のキャリアのうちの少なくとも第２のキャリアの第２のサブフレームのセットを決定するためのキャリア割り当て受信構成要素と、ここで、前記第２のサブフレームのセットは前記第１のサブフレームのセットとは異なる、
複数のアクセスリンクキャリアを通じて受信されたデータを、少なくとも前記第１のサブフレームのセットおよび前記第２のサブフレームのセットに基づいて前記第１のキャリアおよび前記第２のキャリアを通じて前記ｅＮＢに通信するためのバックホールリンク構成要素と
を備え、前記第２のサブフレームのセットは、前記第１のサブフレームのセットのサブセットである、装置。
【請求項３０】
前記第２のサブフレームのセットが前記第１のサブフレームのセットのサブセットであるという決定に少なくとも部分的に基づいて、前記第１のキャリアをプライマリコンポーネントキャリア（ＰＣＣ）として決定するための、ＰＣＣ決定構成要素をさらに備える、
請求項２９に記載の装置。
【請求項３１】
前記バックホールリンク構成要素は、前記第２のキャリア上で受信されるデータ送信について、前記第１のキャリア上で肯定応答／否定応答（ＡＣＫ／ＮＡＫ）を送信する、
請求項３０に記載の装置。
【請求項３２】
前記バックホールリンク構成要素は、前記第１のキャリアに対して指定されている第１のＡＣＫ／ＮＡＫ送信タイムラインに基づいて、前記第２のキャリアに対する第２のＡＣＫ／ＮＡＫ送信タイムラインを決定する、
請求項３１に記載の装置。
【請求項３３】
前記バックホールリンク構成要素は、前記第２のキャリア上でのデータ送信について、前記第１のキャリア上でダウンリンク許可を受信し、前記ダウンリンク許可は、前記第１のキャリアに対するダウンリンク許可送信タイムラインに従って受信される、
請求項３０に記載の装置。
【請求項３４】
前記バックホールリンク構成要素は、前記第２のキャリア上でのデータ送信について、前記第１のキャリア上でアップリンク許可を受信し、前記アップリンク許可は、前記第１のキャリアに対するアップリンク許可送信タイムラインに従って受信される、
請求項３０に記載の装置。
【請求項３５】
前記バックホールリンク構成要素は、前記第２のキャリア上でのデータ送信について、前記第１のキャリア上で肯定応答／否定応答（ＡＣＫ／ＮＡＫ）を受信し、前記第１のキャリアに対して指定されている第１のＡＣＫ／ＮＡＫ受信タイムラインに基づいて、前記第２のキャリアに対する第２のＡＣＫ／ＮＡＫ受信タイムラインを決定する、
請求項３０に記載の装置。
【請求項３６】
前記第１のキャリアは、前記第１のサブフレームのセットのうちの１つまたは複数のサブフレームにおいてダウンリンクおよびアップリンク通信を提供するために周波数分割複信（ＦＤＤ）を使用し、前記第１のキャリアは、前記複数のアクセスリンクキャリアのうちの少なくとも１つでもある、
請求項３０に記載の装置。
【請求項３７】
前記第１のサブフレームのセット内のダウンリンクサブフレームの数は、バックホールリンク通信のための前記第１のサブフレームのセット内のアップリンクサブフレームの数と同じである、
請求項３６に記載の装置。
【請求項３８】
前記第１のサブフレームのセット内のダウンリンクサブフレームの数は、バックホールリンク通信のための前記第１のサブフレームのセット内のアップリンクサブフレームの数よりも大きい、
請求項３６に記載の装置。
【請求項３９】
前記第２のキャリアは、前記第２のサブフレームのセットのうちの所与のサブフレームにおいてダウンリンクまたはアップリンク通信を提供するために時分割複信（ＴＤＤ）を使用する、
請求項２９に記載の装置。
【請求項４０】
前記第１のキャリアは、アクセスリンク通信のためには構成されず、前記第２のサブフレームのセットのうちの少なくとも１つのサブフレームはアクセスリンク通信のために構成される、
請求項２９に記載の装置。
【請求項４１】
前記キャリア割り当て受信構成要素は、前記複数のキャリアにおいて第３のキャリアを決定し、前記第１のキャリアはバックホールリンク通信のために構成され、前記第２のキャリアはバックホールリンク通信およびアクセスリンク通信のために構成され、前記第３のキャリアはアクセスリンク通信のために構成される、
請求項２９に記載の装置。
【発明の詳細な説明】
【関連出願】
【０００１】
米国特許法第１１９条による優先権の主張
本特許出願は、本出願の譲受人に譲渡され、参照により本明細書に明確に組み込まれる、２０１１年８月１７日に出願した「ＭＥＴＨＯＤ  ＡＮＤ  ＡＰＰＡＲＡＴＵＳ  ＦＯＲ  ＡＧＧＲＥＧＡＴＩＮＧ  ＣＡＲＲＩＥＲＳ  ＯＦ  Ａ  ＢＡＣＫＨＡＵＬ  ＣＯＮＮＥＣＴＩＯＮ」と題する仮出願第６１／５２４，７０４号の優先権を主張する。
【技術分野】
【０００２】
以下の説明は、一般にワイヤレスネットワーク通信に関し、より詳細には、中継ノード通信に関する。
【背景技術】
【０００３】
ワイヤレス通信システムは、たとえば音声、データなど、様々なタイプの通信コンテンツを提供するために広く展開されている。典型的なワイヤレス通信システムは、利用可能なシステムリソース（たとえば、帯域幅、送信電力など）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがあり得る。さらに、これらのシステムは、第３世代パートナーシッププロジェクト（３ＧＰＰ（登録商標））、（たとえば、３ＧＰＰ  ＬＴＥ（登録商標）（ロングタームエボリューション）／ＬＴＥ−Ａｄｖａｎｃｅｄ）、ウルトラモバイルブロードバンド（ＵＭＢ）、エボルブドデータオプティマイズド（ＥＶ−ＤＯ）などの規格に準拠することができる。
【０００４】
一般に、ワイヤレス多元接続通信システムは、複数のモバイルユーザ機器（ＵＥ）のための通信を同時にサポートすることができる。各ＵＥは、順方向リンクおよび逆方向リンク上での送信を介して１つまたは複数の発展型ノードＢ（ｅＮＢ）と通信することができる。順方向リンク（またはダウンリンク）とは、ｅＮＢからＵＥへの通信を指し、逆方向リンク（またはアップリンク）とは、ＵＥからｅＮＢへの通信リンクを指す。さらに、ＵＥとｅＮＢとの間の通信は、単入力単出力（ＳＩＳＯ）システム、多入力単出力（ＭＩＳＯ）システム、多入力多出力（ＭＩＭＯ）システムなどを介して確立することができる。
【０００５】
加えて、１つまたは複数のｅＮＢと通信するためのキャリアをＵＥにおいてアグリゲートして、それらのキャリアにわたるスループットの増大、機能の追加などをもたらすことができる。さらに、ＵＥは、バックホールリンクを通じて１つまたは複数のｅＮＢと通信する１つまたは複数の中継ノードを通じて１つまたは複数のｅＮＢと通信することができる。中継ノードは、たとえば、信号を１つまたは複数のｅＮＢに／から再送信することによって、１つまたは複数の基地局のカバレージを拡張し、１つまたは複数の基地局との通信のスループットを増大させることなどができる。たとえば、中継器は、中継器が所与の期間内に受信もしくは再送信のいずれかができる（ただし両方ではない）半二重モード、または、中継器が任意の所与の時点において受信および再送信することができる全二重モードにおいて動作することができる。
【発明の概要】
【０００６】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
１つまたは複数の態様およびその対応する開示に従って、本開示では、中継ノードにおけるバックホール接続を通じてキャリアアグリゲーション（ＣＡ）を提供することに関して様々な態様について説明する。発展型ノードＢ（ｅＮＢ）とのバックホールリンクに対するＣＡによって、ユーザ機器（ＵＥ）は、中継ノードを介して複数の独立したキャリアを通じて通信することが可能になる。中継ノードが半二重であり、バックホールキャリアが異なる構成である可能性がある場合、中継ノードはキャリア構成に互換性があることを保証する、またはキャリア構成に互換性がないときはスケジューリング制約もしくは他のロジックを実装することのうちの少なくとも一方ができる。別の例において、中継ノードは周波数分割多重化（ＦＤＭ）を使用して全二重通信をもたらすことができ、したがって、キャリアは実質的にいかなる構成であることもできる。
【０００８】
一例において、バックホールリンクにわたってキャリアをアグリゲートするための方法が提供される。方法は、バックホールリンクを通じてｅＮＢと通信するように構成された、複数のキャリアのうちの少なくとも第１のキャリアの第１のサブフレームのセットを決定することと、バックホールリンク通信のために構成された、複数のキャリアのうちの少なくとも第２のキャリアの第２のサブフレームのセットを決定することとを含み、第２のサブフレームのセットは第１のサブフレームのセットとは異なる。方法は、複数のアクセスリンクキャリアを通じて受信されたデータを、少なくとも第１のサブフレームのセットおよび第２のサブフレームのセットに基づいて第１のキャリアおよび第２のキャリアを通じてｅＮＢに通信することをさらに含む。
【０００９】
別の態様において、バックホールリンクにわたってキャリアをアグリゲートするための装置が提供される。装置は、バックホールリンクを通じてｅＮＢと通信するように構成された、複数のキャリアのうちの少なくとも第１のキャリアの第１のサブフレームのセットを決定し、複数のキャリアのうちの少なくとも第２のキャリアの第２のサブフレームのセットを決定するための手段を含み、第２のサブフレームのセットは第１のサブフレームのセットとは異なる。装置は、複数のアクセスリンクキャリアを通じて受信されたデータを、少なくとも第１のサブフレームのセットおよび第２のサブフレームのセットに基づいて第１のキャリアおよび第２のキャリアを通じてｅＮＢに通信するための手段をさらに含む。
【００１０】
さらに、別の態様において、コンピュータプログラム製品であって、コンピュータに、バックホールリンクを通じてｅＮＢと通信するように構成された複数のキャリアのうちの少なくとも第１のキャリアの第１のサブフレームのセットを決定させるためのコードと、コンピュータに、バックホールリンク通信のために構成された複数のキャリアのうちの少なくとも第２のキャリアの第２のサブフレームのセットを決定させるためのコードとを有するコンピュータ可読媒体を含み、第２のサブフレームのセットは第１のサブフレームのセットとは異なる、コンピュータプログラム製品が提供される。コンピュータ可読媒体は、コンピュータに、複数のアクセスリンクキャリアを通じて受信されたデータを、少なくとも第１のサブフレームのセットおよび第２のサブフレームのセットに基づいて第１のキャリアおよび第２のキャリアを通じてｅＮＢに通信させるためのコードをさらに含む。
【００１１】
さらに別の態様において、バックホールリンクにわたってキャリアをアグリゲートするためのワイヤレス通信デバイスであって、プロセッサと、プロセッサと電子通信しているメモリとを含む、ワイヤレス通信デバイスが提供される。ワイヤレス通信デバイスは、メモリ内に記憶されている命令をさらに含み、命令は、プロセッサによって、バックホールリンクを通じてｅＮＢと通信するように構成された複数のキャリアのうちの少なくとも第１のキャリアの第１のサブフレームのセットを決定することと、バックホールリンク通信のために構成された複数のキャリアのうちの少なくとも第２のキャリアの第２のサブフレームのセットを決定することであって、第２のサブフレームのセットは第１のサブフレームのセットとは異なる、決定することと、複数のアクセスリンクキャリアを通じて受信されたデータを、少なくとも第１のサブフレームのセットおよび第２のサブフレームのセットに基づいて第１のキャリアおよび第２のキャリアを通じてｅＮＢに通信することとを行うために実行可能である。
【００１２】
さらに、別の態様において、バックホールリンクにわたってキャリアをアグリゲートするための装置が提供される。装置は、バックホールリンクを通じて発展型ノードＢ（ｅＮＢ）と通信するように構成された、複数のキャリアのうちの少なくとも第１のキャリアの第１のサブフレームのセットを決定し、複数のキャリアのうちの少なくとも第２のキャリアの第２のサブフレームのセットを決定するためのキャリア割り当て受信構成要素であって、第２のサブフレームのセットは第１のサブフレームのセットとは異なる、キャリア割り当て受信構成要素と、複数のアクセスリンクキャリアを通じて受信されたデータを、少なくとも第１のサブフレームのセットおよび第２のサブフレームのセットに基づいて第１のキャリアおよび第２のキャリアを通じてｅＮＢに通信するためのバックホールリンク構成要素とを含む。
【００１３】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００１４】
開示する態様は、以下で、開示する態様を限定するためではなく、開示する態様を例示するために与えられる、同様の記号が同様の要素を示す、添付の図面に関して説明される。
【図１】複数のアグリゲートされたキャリアを通じて通信する中継器の例示的なシステムを示す図。
【図２】中継器によるバックホール通信のためにキャリアをアグリゲートするための例示的なシステムを示す図。
【図３】中継バックホール通信のための例示的なアグリゲートされたキャリア構成を示す図。
【図４】ワイヤレスネットワークにおいてそれを通じて通信するためのバックホールサブフレームを決定するための例示的な方法を示す図。
【図５】中継器とのバックホールリンクを通じてアグリゲートするためのキャリアを選択するための例示的な方法を示す図。
【図６】本明細書に記載の態様による例示的なシステムを示す図。
【図７】例示的なキャリアアグリゲーション構成を示す図。
【図８】例示的なＭＡＣレイヤキャリアアグリゲーションを示す図。
【図９】ネットワークアーキテクチャの一例を示す図。
【図１０】アクセスネットワークの一例を示す図。
【図１１】ロングタームエボリューション（ＬＴＥ）におけるダウンリンク（ＤＬ）フレーム構造の一例を示す図。
【図１２】ＬＴＥにおけるアップリンク（ＵＬ）フレーム構造の一例を示す図。
【図１３】ユーザプレーンおよび制御プレーンのための無線プロトコルアーキテクチャの一例を示す図。
【図１４】アクセスネットワーク中のｅＮＢおよびＵＥの一例を示す図。
【発明を実施するための形態】
【００１５】
ここで、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施できることは明らかであろう。
【００１６】
中継バックホールリンクのためにキャリアアグリゲーション（ＣＡ）を提供することに関する様々な態様が本明細書において説明される。たとえば、中継器（本明細書においては「中継ノード」とも称する）は、１つまたは複数のアグリゲートされたキャリアを通じて１つまたは複数の発展型ノードＢ（ｅＮＢ）、中継器、または他のノードと通信することができる。これによって、利用可能なＣＡを考慮して中継器と他のノードとの間のバックホールリンク通信を改善することができる。中継器は、半二重モード（たとえば、任意の所与の時点において中継器が受信または送信することができるが、両方ではない）または全二重モード（たとえば、中継器が任意の所与の時点において受信および／または再送信することができる）において通信することもできる。一例において、１つまたは複数のアグリゲートされたキャリアは、異なる複数の構成を利用して、より効率的なバックホール通信を提供することができ、中継器は異なる複数の構成に基づいて動作することができる。
【００１７】
たとえば、異なる複数の構成は、キャリアの異なる複数の規定のサブフレーム構成に対応することができる。この例においては、中継器は半二重モードにおいて動作しており、中継器によって使用されるアグリゲートされたキャリアは、所与の時点において中継器がバックホールリンクもしくはアクセスリンクのいずれかを通じて通信しており、かつ／またはアップリンクリソースもしくはダウンリンクリソースのいずれかを使用していることを保証するために、特定の互換性のあるサブフレーム構成に制約されることができる。別の例において、異なる複数の互換性のないサブフレーム構成を、スケジューリング制約または衝突を軽減する他のメカニズムを受ける半二重モードにおいてキャリアにわたって使用することができる。さらに、中継器は、周波数分割多重化（ＦＤＭ）または他の多重化技術を利用して全二重モードにおいて通信することができ、それによって、アグリゲートされたキャリアは異なる複数の互換性のあるまたは互換性のないサブフレーム構成を使用することができる。
【００１８】
本出願において使用される場合、「構成要素」、「モジュール」、「システム」などの用語は、限定はしないが、ハードウェア、ソフトウェア／ファームウェア、ハードウェアとソフトウェア／ファームウェアの組合せ、または実行中のソフトウェア／ファームウェアのような、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。構成要素は、ローカルシステム内、分散システム内、および／または、信号を用い、他のシステムとインターネットのようなネットワークにわたって、別のコンポーネントとインタラクトする１つのコンポーネントからのデータなど、１つまたは複数のデータパケットを有する信号にしたがってローカルおよび／またはリモートプロセスを経由して、通信することができる。
【００１９】
さらに、「または」という用語は、排他的な「または」ではなく、包含的な「または」を意味するものとする。すなわち、別段の規定がない限り、またはコンテキストから明白でない限り、「ＸはＡまたはＢを使用する」という句は、自然な包含的置換のいずれかを意味するものとする。つまり、「ＸはＡまたはＢを使用する」という句は、以下の場合、すなわち、ＸがＡを使用する場合、ＸがＢを使用する場合、またはＸがＡとＢの両方を使用する場合のうちのいずれかによって満足される。その上、本出願および添付の特許請求の範囲で使用されるとき、冠詞「ａ」および「ａｎ」とは、別段指定されない限り、または単数形を対象とすべきであるとコンテキストから明らかでない限り、通常、「１つまたは複数」を意味すると解釈されるべきである。
【００２０】
いくつかのデバイス、構成要素、モジュールなどを含むことができるシステムに関して、様々な態様または特徴を提示する。様々なシステムは、追加のデバイス、構成要素、モジュールなどを含み得、および／または各図に関連して論じるデバイス、構成要素、モジュールなどのすべてを含むとは限らないことを理解および諒解されたい。これらの手法の組合せを使用することもできる。
【００２１】
図１は、中継ノードを介した通信のためにキャリアをアグリゲートするための例示的なワイヤレス通信システム１００を示す。システム１００は、マルチキャリア構成において１つまたは複数のｅＮＢ１０４、１０６、および１０８の１つまたは複数のセルへ／から信号を送信する中継器１０２を含む。たとえば、マルチキャリア構成は、同じまたは異なるデータを同時に再送信するために、本明細書に記載するような、複数のｅＮＢまたは関連セルのキャリアをアグリゲートすることに関係することができる。図示されている例において、ｅＮＢ１０４は複数のセル１１０、１１２、および１１４を提供し、ｅＮＢ１０６は複数のセル１１６、１１８、および１２０を提供し、ｅＮＢ１０８は複数のセル１２２、１２４、および１２６を提供する。実質的にマクロノードカバレージとして図示されているが、システム１００は、中継器１０２がそのためにまたはそれに対して信号を再送信することができる１つまたは複数のフェムトノード、ピコノードなどを含むことができることを諒解されたい。システム１００は、少なくとも中継器１０２によってサービスされるＵＥ１３０をも含む。加えて、システム１００は、ｅＮＢ１０４、１０６、および１０８の間の通信を容易にすることができるネットワークコントローラ１４０と、コアワイヤレスネットワークの構成要素のような１つまたは複数の他の構成要素とを含む。
【００２２】
中継器１０２は、あるノード（たとえば、ｅＮＢ１０４またはＵＥ１３０）からデータおよび／または他の情報の送信を受信し、そのデータおよび／または他の情報の送信を別のノード（たとえば、ＵＥ１３０またはｅＮＢ１０４）に送信するノードとすることができる。中継器１０２は、ｅＮＢ１０４の送信を他のＵＥ１３０のために中継するＵＥとすることもできる。図示されているように、中継器１０２は、複数のアグリゲートされたキャリア１５０および１５２を通じてｅＮＢ１０４とのバックホールリンクを確立することができる。単一のｅＮＢを有する単一のセル内に示されているが、中継器１０２は別個のセル内で、および／または別個のｅＮＢとキャリア１５０および１５２を確立することができることを諒解されたい。中継器１０２は、ＵＥ１３０および／または他のＵＥと通信するために複数のアグリゲートされたキャリア１５４および１５６のアクセスリンクをも提供する。一例において、中継器１０２は、ｅＮＢ１０４とＵＥ１３０との間の通信を再送信するために、キャリア１５４をキャリア１５０と関連付け、キャリア１５６をキャリア１５２と関連付ける。
【００２３】
中継器１０２は、記載のように、半二重または全二重モードにおいて通信することができる。一例において、半二重モードにおいて通信するとき、中継器１０２は、ｅＮＢ１０４との通信においてキャリア１５０および１５２をＣＡに利用することができ、ここで、キャリア１５０および１５２は互換性がある。一例において、互換キャリアは、互換サブフレーム構成を有するキャリアを含むことができる。中継器のサブフレーム構成とは、一群のサブフレームの中で、ダウンリンク通信のために構成されているサブフレーム、および／または、アップリンク通信のために構成されているサブフレームを指すことができる。互換サブフレーム構成は、１つのキャリアのサブフレーム構成が、もう１つのキャリアのもう１つのサブフレーム構成におけるダウンリンク通信に関して示されるサブフレームのサブセットを構成するサブフレームにおいてダウンリンク通信を示す場合に存在する。サブフレームが同じ数のアップリンクキャリアおよびダウンリンクキャリアを有する対称構成において、これは、一方のキャリアが、他方のキャリアの他方のサブフレーム構成におけるアップリンク通信に関して示されるサブフレームのサブセットを構成するサブフレームにおいてアップリンク通信を示すことになり得る。したがって、半二重モードについて、互換キャリアを使用することによって、中継器１０２が、所与のサブフレームにおいて、ダウンリンクを通じてｅＮＢ１０２から受信しているか、または、ｅＮＢ１０４に再送信しているかのいずれかである（しかし、両方ではない）ことが補償される。しかしながら、中継器１０２は、本明細書にさらに説明する追加の制約メカニズムを用いて、サブフレーム構成に関係なくキャリア１５０および１５２を使用することができることを諒解されたい。
【００２４】
別の例において、中継器１０２は全二重モードにおいて動作することができ、それによって、任意の時点において受信および送信することができる。この例において、中継器１０２は、キャリアが互換性があるか否かにかかわらずキャリア１５０および１５２を使用することができる。しかしながら、中継器１０２においてキャリア１５０および１５２とキャリア１５４および１５６との間の干渉を軽減するために、キャリア１５４および１５６の選択にいくらかの制約を実装することができる。
【００２５】
図２を参照すると、バックホール通信のためのキャリアのアグリゲートすることを可能にする例示的なワイヤレス通信システム２００が示されている。システム２００は、中継器２０６を介してｅＮＢ２０４と通信するＵＥ２０２を備える。たとえば、ＵＥ２０２は、アクセスリンクを通じて中継器２０６と通信することができ、中継器２０６は、バックホールリンクを通じてｅＮＢ２０４へ／から通信を転送することができる。記載のように、ＵＥ２０２は、いくつかのネットワークにおいて複数のアグリゲートされたキャリアを通じて通信することができ、したがって、ｅＮＢ２０４は複数のアグリゲートされたキャリアをＵＥ２０２に割り当てることができる。これに関連して、中継器２０６は、アクセスリンク上でのＵＥ２０２との、および、バックホールリンク上でのｅＮＢ２０４との複数のアグリゲートされたキャリアを介した通信をサポートするように構成することができる。ＵＥ２０２は、単独で給電されるデバイス、テザリングされるデバイス（モデムなど）、モバイルデバイス、静止デバイス、それらの一部などとすることができ、ｅＮＢ２０４は、マクロノード、フェムトノード、ピコノード、マイクロノード、または同様のアクセスポイント、別の中継器、移動基地局、ＵＥ（たとえば、ピアツーピアまたはアドホックモードにおける通信）、それらの一部などとすることができる。さらに、中継器２０６は、ワイヤレス中継ノード、ＵＥ中継器（たとえば、ｅＮＢ２０４とのアクセスリンクをバックホールリンクとして使用し、他のＵＥからの通信をサポートする中継器として動作するＵＥ）などとすることができる。
【００２６】
ｅＮＢ２０４は、それに対するバックホールリンクを通じて１つまたは複数の中継器と通信するためのバックホールリンク構成要素２０８と、１つまたは複数の中継器に割り当てるために複数のキャリアをアグリゲートするためのキャリアアグリゲーティング構成要素２１０と、複数のアグリゲートされたキャリアのうちの１つを、中継器と制御データを通信するためのプライマリコンポーネントキャリア（ＰＣＣ）またはセカンダリコンポーネントキャリア（ＳＣＣ）として選択するための、任意選択のＰＣＣ／ＳＣＣ決定構成要素２１２とを含むことができる。加えて、キャリアアグリゲーティング構成要素２１０は、任意選択的に、１つもしくは複数のキャリアのサブフレーム構成を区別するためのサブフレーム構成決定構成要素２１４、および／または、１つもしくは複数のパラメータに基づいて中継器に割り当てるためのキャリアを決定するためのキャリア選択構成要素２１６を含むことができる。
【００２７】
中継器２０６は、記載のように、アクセスリンクを通じて１つまたは複数のＵＥと通信するための（かつ／もしくはそのような通信のための複数のキャリアを確立するための）アクセスリンク構成要素２１８と、１つまたは複数のｅＮＢと通信するための（かつ／もしくはそのような通信のための複数のキャリアを確立するための）バックホールリンク構成要素２２０とを含む。中継器２０６は、ｅＮＢから複数のキャリア割り当てを取得するためのキャリア割り当て受信構成要素２２２と、複数の割り当てられたキャリアのうちのＰＣＣおよび／またはＳＣＣを区別するための、任意選択のＰＣＣ／ＳＣＣ決定構成要素２２４とを含むこともできる。
【００２８】
一例によれば、ＵＥ２０２は、ｅＮＢ２０４とのバックホールリンクにわたる１つまたは複数のキャリアを確立することができる中継器２０６とのアクセスリンクにわたる１つまたは複数のキャリアを確立することによって、中継器２０６を介してｅＮＢ２０４と通信することができる。一例において、キャリアアグリゲーティング構成要素２１０は、初期キャリアを中継器２０６に割り当てることができ、バックホールリンク構成要素２０８および２２０はこのキャリアを通じて通信することができる。加えて、キャリアアグリゲーティング構成要素２１０は、１つまたは複数の追加のキャリアを中継器２０６に割り当てて、バックホールリンクにわたるキャリアアグリゲーションを可能にすることができる。記載のように、これによって、たとえば、特にＵＥ２０２およびｅＮＢ２０４もキャリアアグリゲーションをサポートする場合に、バックホールリンクにわたるスループットを改善することができる。
【００２９】
たとえば、キャリアアグリゲーティング構成要素２１０は、中継器２０６に割り当てるための１つまたは複数の追加のキャリアおよび／または関連パラメータを選択または生成することができる。本明細書においては初期キャリアおよび１つまたは複数の追加のキャリアと称するが、これらのキャリアを同様の時点において、かつ／または同じキャリア構成手順の一部として構成することができる。いくつかの例において、１つまたは複数の追加のキャリアの選択または生成は、初期キャリアのパラメータに基づいて、または他の様態で制約することができる。一例において、サブフレーム構成決定構成要素２１４が、初期キャリアのサブフレーム構成を決定することができ、キャリア選択構成要素２１６が、１つまたは複数の追加のキャリアを、互換キャリアである（たとえば、互換サブフレーム構成を有する）ように選択することができる。たとえば、１つまたは複数の追加のキャリアのサブフレーム構成は、記載のように、初期キャリアのサブフレーム構成においてダウンリンク通信のために指定されるサブフレームのサブセットである、ダウンリンク通信のためのサブフレームのセットを指定することができる。代替的に、キャリア選択構成要素２１６は、初期キャリアのサブフレーム構成のダウンリンク通信サブフレームがそのサブセットである、ダウンリンク通信サブフレームを指定するサブフレーム構成を有するように、１つまたは複数の追加のキャリアを選択することができる。キャリアの選択は、同様にアップリンクサブフレームに関係し得ることを諒解されたい。
【００３０】
いずれにせよ、キャリアは、中継器２０６が、複数のキャリアのすべてにわたって送信し、または所与のサブフレーム内でそれらのキャリアにわたって受信する、半二重モードにおいて動作することを可能にするためにいくつかの共通のサブフレームを有し、これは単純にバックホールリンク通信であることができる。さらに、複数のキャリアがバックホールリンクに使用されることができるため、中継器２０６とｅＮＢ２０４との間の通信についてスループットが増大することができる。加えて、所与のサブフレームにおけるアグリゲートされたキャリアに対するフィードバックを、サブフレーム構成に互換性がある後続のサブフレームにより容易にマッピングすることができる。これは、サブフレーム構成がダウンリンク（またはアップリンク）通信に対して少なくとも１つまたは複数の共通のサブフレームを有し、したがって、同じ後続のフィードバックサブフレーム（たとえば、ＬＴＥ  ＦＤＤにおいてはその通信サブフレームからの４ミリ秒（ｍｓ）、または、ＬＴＥ  ＴＤＤ（時分割二重）においては別の後続のアップリンクまたはダウンリンクサブフレーム）を有することができるためであり得る。
【００３１】
特定の一例では、ＬＴＥ  ＦＤＤにおいて、バックホールサブフレームは８ｍｓの周期性を有することができ、したがって、１ｍｓのサブフレームでは、２8−１＝２５５個のサブフレーム構成が可能であり、これらのサブフレームの１つまたは複数がダウンリンク送信に使用される。この例において、サブフレーム構成決定構成要素２１４が、複数の可能なキャリアのサブフレーム構成を８ビットのビットマップとして表すことができ、アクティブビット（１にセットされたビット）がダウンリンクサブフレームを示す。１つまたは複数の追加のキャリアに関係するアクティブビットが初期キャリアに関係するアクティブビットのサブセットである（かつ／またはその逆である）場合、キャリアは互換性があり、キャリア選択構成要素２１６は中継器２０６とのバックホールリンクにおいてアグリゲートするためにそれらのキャリアを選択することができる。キャリア選択構成要素２１６によってバックホールリンク通信のために構成されているキャリアは、同じ数のダウンリンクおよびアップリンクサブフレーム、より大きい数のダウンリンクサブフレームなどを有することができることを諒解されたい。
【００３２】
別の特定の例では、ＬＴＥ  ＴＤＤにおいて、バックホールサブフレームは、下記の表に示すような、１０個のサブフレームの複数の構成のうちの１つを有することができる。
【００３３】
【表１】
0006356208.tif 000002
【００３４】
表中、サブフレーム構成ＴＤＤはインデックスであり、ＵおよびＤは、バックホールリンクを介したアップリンク送信およびダウンリンク送信に割り振られているそれぞれのサブフレームを表し、空白のサブフレームは所与のサブフレーム構成において通信に利用されていない。この例において、サブフレーム構成決定構成要素２１４は、可能なサブフレーム構成に基づいて同様に互換キャリアを決定することができる。別の例において、サブフレーム構成決定構成要素２１４は、そのような互換キャリアを定義する１つまたは複数のパラメータを有して構成することができる。たとえば、サブフレーム構成決定構成要素２１４は、互換キャリアを決定するための互換サブフレーム構成を指定する下記の表に対応する表または他のビットマップを有して構成することができる。
【００３５】
【表２】
0006356208.tif 000003
【００３６】
この例において、サブフレーム構成決定構成要素２１４は、キャリアおよび上記表に基づいてバックホールリンクに割り当てられているキャリアに対する互換キャリアを決定することができる。サブフレーム構成決定構成要素２１４が互換キャリア（複数の場合もあり）（たとえば、初期および追加のキャリア）を決定すると、キャリア選択構成要素２１６は、記載のように、中継器２０６のバックホールリンク通信に割り当てるためのキャリア（複数の場合もあり）を選択することができる。
【００３７】
さらに、一例において、キャリア選択構成要素２１６は、上記考慮事項（たとえば、キャリアに互換性があることを保証する）に従って、中継器２０６とのバックホール通信においてアグリゲートするための少なくとも１つのＦＤＤキャリアおよび少なくとも１つのＴＤＤキャリアを選択することができる。上記例において、許可された互換キャリア構成はｅＮＢのためにハードコード化または他の様態で構成することができ、キャリア選択構成要素２１６は、許可された互換キャリア構成のうちの１つまたは複数を、中継器２０６とのバックホールリンク通信に選択することを諒解されたい。キャリア割り当て受信構成要素２２２は、バックホールにわたってキャリアを利用するためにその割り当てを取得する。
【００３８】
ＰＣＣ／ＳＣＣ決定構成要素２１２および／または２２４は、１つまたは複数の要因に基づいてキャリアのうちの１つをＰＣＣおよび／またはＳＣＣとして決定することができる。一例において、ＰＣＣ／ＳＣＣ決定構成要素２１２および／または２２４は、バックホールダウンリンクまたはアップリンクのために最も多くの構成されているサブフレームを有するキャリア（たとえば、他のキャリア（複数の場合もあり）の他のサブフレーム構成（複数の場合もあり）がそのサブセットであるサブフレーム構成を有するキャリア）としてＰＣＣを選択することができる。一例において、上述のように、サブフレーム構成がいくつかのビットとして表される場合、ＰＣＣ／ＳＣＣ決定構成要素２１２および／または２２４は、最大数のアクティブビットを有するサブフレーム構成を有するキャリアをＰＣＣとして選択することができる。たとえば、記載のように、ＰＣＣは、アグリゲートされたキャリアに対する制御データを通信するために利用することができ、したがって、より信頼性のある、かつ／またはより頻繁に送信機会のあるキャリアがＰＣＣとして選択され得る。
【００３９】
加えて、バックホール通信のために確保されていないキャリアの構成におけるサブフレームの少なくとも一部を、アクセスリンク構成要素２１８によって、ＵＥ２０２とのアクセスリンク通信に利用することができる。これに関連して、アクセスリンク構成要素２１８は、キャリアアグリゲーティング構成要素２１０によって、特定のサブフレームにおけるアクセスリンクを通じて追加の通信のために割り当てられる１つまたは複数のキャリアを構成することができる。この例において、ＰＣＣ／ＳＣＣ決定構成要素２１２および／または２２４は、バックホールまたはダウンリンク通信のために構成されている最も多くのサブフレームを有するサブフレーム構成を有するキャリアとしてＰＣＣを決定するため、ＰＣＣ／ＳＣＣ決定構成要素２１２および／または２２４は、サブフレームの相補的な構成に基づいてバックホールリンクのためのＰＣＣをアクセスリンクのためのＳＣＣとして、および／またはバックホールリンクのためのＳＣＣをアクセスリンクのためのＰＣＣとして決定することができる（たとえば、バックホールまたはダウンリンク通信のために構成されていないサブフレームを、アクセスリンク通信のために構成することができる）。たとえば、バックホールリンクのＳＣＣは、ＰＣＣと比較してより少ない数の、バックホールリンクまたはダウンリンク通信のために構成されたサブフレームを有し得、したがってアクセスリンク上で、バックホールリンクのＳＣＣは、アクセスリンク通信に利用可能なより多い数のサブフレームを有し、したがってアクセスリンクＰＣＣとして構成することができる。
【００４０】
別の例において、キャリア選択構成要素２１６は、サブフレーム構成互換性に対するそのような制約なしにキャリアをアグリゲートすることができる。この例において、ＰＣＣ／ＳＣＣ決定構成要素２１２および／または２２４は、プライマリキャリア、またはプライマリアップリンクおよび／もしくはダウンリンクサブフレーム（たとえば、各アップリンクおよび／またはダウンリンクサブフレームのためのプライマリキャリア）を決定することができる。一例として、初期キャリアは、｛２，７｝の構成を有してもよく、上記例の表に示すように、第１のインデックスはｅＮＢから中継器までのＴＤＤアップリンク−ダウンリンクサブフレーム構成に対応し、第２のインデックスはサブフレーム構成ＴＤＤに対応する。結果として、以下のようなバックホールのサブフレーム構成になる。
【００４１】
【表３】
0006356208.tif 000004
【００４２】
空白のサブフレームはバックホールに利用可能ではない。追加のキャリアは｛１，０｝の構成を使用してもよく、結果として以下のようなバックホールのサブフレームパターンになる。
【００４３】
【表４】
0006356208.tif 000005
【００４４】
これら２つのキャリアは、少なくともバックホールの対応するサブフレームパターンが互いのサブセットでないため、バックホールについて互換性がない。しかしながら、そのような構成は、ＴＤＤにおけるアグリゲートされたキャリアに対しては依然として許容され得る。たとえば、ＰＣＣ／ＳＣＣ決定構成要素２１２および／または２２４は、初期キャリアをＰＣＣとして指定し、追加のキャリアをＳＣＣとして指定することができる。これに関連して、初期キャリアにとってはダウンリンクサブフレームであり、追加のキャリアにとってはアップリンクサブフレームであるサブフレーム８を、バックホールリンクのダウンリンクサブフレームとして扱うことができる。この例において、初期キャリアはダウンリンク送信に利用可能である（たとえば、追加のキャリアは利用可能でない）。代替的に、別の例において、ＰＣＣ／ＳＣＣ決定構成要素２１２および／または２２４は、初期キャリアをサブフレーム２におけるＰＣＣとして指定し、追加のキャリアをサブフレーム４およびサブフレーム８におけるＰＣＣとして指定することができる。
【００４５】
いずれにせよ、バックホールリンク構成要素２０８および２２０は、ＰＣＣを通じて複数のキャリアに対する制御データを通信することができる。たとえば、バックホール構成要素２２０は、複数のキャリアに関して、ＰＣＣを通じてＡＣＫ／ＮＡＫフィードバックを送信することができる。バックホールリンク構成要素２０８は、複数のバックホールリンクキャリアに関してＰＣＣを通じてＡＣＫ／ＮＡＫフィードバックを受信することができ、したがって、ＡＣＫ／ＮＡＫフィードバックを処理することができる。これに関連して、バックホールリンク構成要素２２０は、ＰＣＣに対応するＡＣＫ／ＮＡＫ送信タイムラインを利用して、他のキャリアに関するＡＣＫ／ＮＡＫフィードバックを通信することができる。たとえば、バックホールリンク構成要素２２０は、他のキャリアに関係するフィードバックをさらに送信するための、ＰＣＣ上でのＡＣＫ／ＮＡＫ送信機会を決定することができ、これは、他のキャリアを通じて受信された送信から少なくとも一定の時間遅延であるフィードバック機会を選択することを含むことができる。一例として、初期キャリアは、上述のように、｛１，４｝の構成を有してもよく、第１のインデックスはｅＮｏｄｅＢからＲＮまでのＴＤＤアップリンク−ダウンリンクサブフレーム構成に対応し、第２のインデックスはサブフレーム構成ＴＤＤに対応する。結果として、以下のようなバックホールのサブフレームパターンになる。
【００４６】
【表５】
0006356208.tif 000006
【００４７】
追加のキャリアは｛１，３｝の構成を使用してもよく、結果として以下のようなバックホールのサブフレームパターンになる。
【００４８】
【表６】
0006356208.tif 000007
【００４９】
一例において、ＰＣＣ／ＳＣＣ決定構成要素２１２および／または２２４は、初期キャリアをＰＣＣとして指定し、追加のキャリアをＳＣＣとして指定することができる。この事例において、ＳＣＣのダウンリンクサブフレームはＰＣＣのサブフレームのサブセットであるため、ＳＣＣに対するダウンリンク送信のＡＣＫ／ＮＡＫタイミングは、ＰＣＣに指定されているダウンリンク送信のＡＣＫ／ＮＡＫタイミングに従うことができ、この結果としてＡＣＫ／ＮＡＫフィードバック待ち時間が改善される。代替的に、ＳＣＣに対するダウンリンク送信のＡＣＫ／ＮＡＫタイミングは、ＳＣＣに指定されているダウンリンク送信のＡＣＫ／ＮＡＫタイミングに従うことができる。同様に、制御チャネルからアップリンク送信までのタイミングを含むＵＬ  ＨＡＲＱタイミング、および、ＳＣＣに対するアップリンク送信から次の制御チャネルまでのタイミングは、バックホールリンクの集合内のキャリアのサブフレームの構成に依存する、ＰＣＣに関して指定されるタイミングに従ってもよい。加えて、バックホールリンク構成要素２２０は、複数のキャリアに対するフィードバックを、ＰＣＣ上でのフィードバック機会における送信のためにアグリゲートすることができる。
【００５０】
同様に、バックホールリンク構成要素２２０は、バックホールリンクキャリアを通じてｅＮＢからフィードバックを受信するための、ＡＣＫ／ＮＡＫフィードバック受信タイムラインを決定することができる。たとえば、バックホールリンク構成要素２２０は、同様に、ＰＣＣを通じて他のキャリアに対するＡＣＫ／ＮＡＫフィードバックを受信することができる。したがって、バックホールリンク構成要素２２０は、同様に、ＰＣＣに指定され、利用されるＡＣＫ／ＮＡＫフィードバック受信タイムラインに基づいて他のキャリアのＡＣＫ／ＮＡＫ受信タイムラインも決定することができる。
【００５１】
さらに、たとえば、バックホールリンク構成要素２０８は、バックホールリンクキャリアに対するダウンリンクまたはアップリンク許可を、ＰＣＣを通じて中継器２０６に通信することができる。この例において、バックホールリンク構成要素２２０は、ダウンリンクまたはアップリンク許可を受信し、したがって、これらの許可を利用して、関連付けられるキャリアを通じてバックホールデータを受信または送信することができる。一例において、バックホールリンク構成要素２０８は、ＰＣＣに関連付けられているアップリンク許可送信タイムラインを使用して、ＰＣＣを通じて他のキャリアに対するアップリンク許可を送信することができ、したがって、バックホールリンク構成要素２２０は、タイムラインに従ってアップリンク許可を受信する。たとえば、バックホールリンク構成要素２０８は、キャリアの識別子（たとえば、キャリア割り当て受信構成要素２２２においてキャリア割り当てとともに受信することができる）を使用してＰＣＣを通じて受信される許可に対応するキャリアを示すことができる。したがって、バックホールリンク構成要素２２０は、識別子に基づいて許可を所与のキャリアと関連付けることができる。
【００５２】
これに関連して、バックホールリンク構成要素２０８および２２０は、それらのキャリアにわたるクロスサブフレームシグナリングおよび／または修正ＨＡＲＱタイミングをサポートする。また別の例において、バックホールリンク構成要素２０８および２２０は、サブフレームが衝突することになるいくつかのキャリアについてダウンリンクサブフレームをスケジューリングしない、いくつかのキャリアについてアップリンクサブフレームをスケジューリングしない、いくつかのキャリアのいくつかのサブフレームについてＡＣＫ／ＮＡＫフィードバックを許可しない、などのような特定のスケジューリング制約を執行して、キャリアをアグリゲートすることを可能にすることができる。
【００５３】
さらに、たとえば、キャリア選択構成要素２１６は、中継器２０６におけるバックホール通信のための少なくとも１つのキャリア、および、中継器２０６におけるアクセスリンク通信のための少なくとも１つのキャリアを選択または他の様態で構成することができる（たとえば、かつ／または中継器２０６がそのようなキャリアを構成することができる）。キャリアはＦＤＭとすることができ、全二重通信を可能にすることができる。この例において、したがって、キャリアは追加の中継器（図示せず）に割り当てることができ、異なる通信に割り当てることができる。たとえば、中継器２０６によるアップリンク通信のために構成されている少なくとも１つのキャリアを、別の中継器によるバックホールリンク通信のために構成することができる。これによって、一例において複数の中継器の間でのロードバランシング（load balancing）を可能にすることができる。別の例において、これらのキャリアのうちの少なくとも１つを、ＬＴＥにおける中継器によって現在サポートされているような半二重通信のために時分割多重化（ＴＤＭ）とすることができ、いくつかのサブフレームにおける中継器２０６によるバックホールリンク通信、および、他のサブフレームにおける中継器２０６からＵＥ２０２へのアクセスリンク通信が可能になる。
【００５４】
これらの例において、ＰＣＣ／ＳＣＣ決定構成要素２１２および／または２２４は、キャリアがＦＤＭまたはＴＤＭ通信のために構成されているかに少なくとも部分的に基づいて、いずれのキャリアがＰＣＣであるべきかを決定することができる。一例において、ＰＣＣ／ＳＣＣ決定構成要素２１２および／または２２４は、ＦＤＭキャリアがＴＤＭキャリアを超えるより多くの送信機会および／または柔軟性を有することができるため、ＦＤＭ通信のために構成されているキャリアをＰＣＣとして選択することができる。これに関連して、ＦＤＭキャリアは、バックホールリンクにわたる中継器物理ダウンリンク制御チャネル（Ｒ−ＰＤＣＣＨ）、物理アップリンク制御チャネル（ＰＵＣＣＨ）、および／または他の制御チャネルに使用することができる。
【００５５】
さらに、キャリアはバックホールリンク通信のみのために構成することができる。これに関連して、キャリア選択構成要素２１６は、少なくとも１つのアクセスリンクサブフレームを有する、バックホールのみのキャリアとアグリゲートするための、別のキャリアを選択することができる。また別の例において、キャリア選択構成要素２１６は、アクセスリンク通信のみのために構成される第３のキャリアを選択することができる。
【００５６】
上記例において、キャリア選択構成要素２１６がバックホールリンクのためのキャリアを選択し、かつ／またはキャリアアグリゲーティング構成要素２１０がキャリアをアグリゲートして中継器２０６に割り当てると、キャリア割り当て受信構成要素２２２はｅＮＢ２０４からキャリア割り当てを受信することができ、バックホールリンク構成要素２２０は（たとえば、サブフレーム構成に従って）ｅＮＢ２０４とのバックホールリンクを介した通信のために、アグリゲートされたキャリアを利用することができる。同様に、ＰＣＣ／ＳＣＣ決定構成要素２１２がバックホールおよび／またはアクセスリンク通信のための複数のキャリアのＰＣＣおよび／またはＳＣＣを決定する場合、ＰＣＣ／ＳＣＣ決定構成要素２１２は、キャリア割り当てにおいてそれを示すことができ、キャリア割り当て受信構成要素２２２はキャリア割り当てにおいて指定されているようにＰＣＣおよび／またはＳＣＣを決定することができる。この例において、バックホールリンク構成要素２２０および／またはアクセスリンク構成要素２１８は、すべての割り当てられたキャリアについて、ＨＡＲＱフィードバックの通信、アクセス許可の受信などのためにＰＣＣを使用することができる。
【００５７】
さらに、ｅＮＢ２０４によって決定されるものとして図示されているが、中継器２０６は、（たとえば、同様のキャリアアグリゲーティング構成要素２１０を使用して）ハードコード化または構成に従ってキャリアを決定することができ、かつ／または、ｅＮＢ２０４内に示す１つまたは複数の同様の構成要素を使用して、上述のようにｅＮＢ２０４とキャリアの折り合いをつけることなどができることを諒解されたい。
【００５８】
加えて、バックホールリンク構成要素２０８および２２０は、異なる複数のキャリアの間で異なる複数のダウンリンクおよびアップリンクタイミングを可能にすることができる。たとえば、異なるシステムタイプ（たとえば、ＦＤＤまたはＴＤＤ）のキャリアについて、これによって展開の柔軟性をもたらすことができる。タイミングの差は一般に、典型的な展開においてシンボル期間（約３０ミリ秒）の半分未満とすることができ、これは結果としてさらなる標準化の変更をもたらさないものであり得る。
【００５９】
図３は、本明細書に記載の態様による、バックホールおよびアクセスリンクのための例示的なキャリア構成３００、３０２、および３０４を示す。キャリア構成３００は、上述のような、中継器におけるバックホールリンク（ＢＨ）３０６とアクセスリンク３０８との間の相補的なキャリア構成を示す。この例において、バックホールリンク３０６はアップリンクおよびダウンリングについてＣＣ１  ３１０をＰＣＣに使用し、ＣＣ２  ３１２をＳＣＣに使用する。記載のように、たとえば、ＣＣ２  ３１２は、したがってＣＣ１  ３１０のサブフレーム構成と互換性がある（たとえば、そのサブセットである）サブフレーム構成を有することができる。したがって、アクセスリンク（ＡＬ）について、ＣＣ１  ３１４のサブフレーム構成（たとえば、バックホールリンクＣＣ１  ３１０のためには構成されていないサブフレーム）は、ＣＣ２  ３１６のサブフレーム構成のサブセットとすることができる。したがって、ＣＣ２  ３１６はアクセスリンクのＰＣＣとして構成することができる。
【００６０】
キャリア構成３０２は、中継器におけるバックホールリンク３１８とアクセスリンク３２０との間の例示的なアグリゲートされたキャリア構成を示す。この例において、バックホールリンク３１８およびアクセスリンク３２０は、全二重通信を可能にするＦＤＭキャリアを含むことができる。たとえば、ＣＣ１  ３２２およびＣＣ２  ３２４は、それぞれバックホールリンクについてＰＣＣおよびＳＣＣとして構成することができる。この例において、ＣＣ３  ３２６はバックホールリンクのためには構成されず、ＣＣ３  ３２８をアクセスリンクのために構成することができ、ＣＣ１  ３３０およびＣＣ２  ３３２はアクセスリンクのためには構成されない。したがって、このキャリア構成において、キャリアはＦＤＭであり、可能性のある干渉を軽減するために、各々、バックホールリンクまたはアクセスリンク通信のいずれかに（両方ではない）割り当てられる。
【００６１】
キャリア構成３０４は、中継器におけるバックホールリンク３３４とアクセスリンク３３６のための例示的なアグリゲートされたキャリア構成を示す。この例において、バックホールリンク３３４とアクセスリンク３３６は両方とも、バックホールリンク３３４におけるＣＣ２  ３３８およびアクセスリンク３３６におけるＣＣ２  ３４０のような、ＴＤＭにおける少なくとも１つのキャリアを利用することができる。この例において、特定のサブフレーム内で、ＣＣ２  ３３８はバックホールリンク通信のために使用することができ、他のサブフレーム内で、ＣＣ２  ３４０は、ＴＤＭを使用してアクセスリンク通信に使用することができる。ＣＣ１  ３４２は、ＦＤＭキャリアであることによって、バックホールリンク３３４のＰＣＣとして決定することができ、ＣＣ３  ３４８は同様に、アクセスリンク３３６のＰＣＣとして決定することができる。図示の例において、ＣＣ３  ３４４は、バックホールリンク３３４上では利用されず、ＣＣ１  ３４６はアクセスリンク３３６の上では利用されない。ｅＮＢは、構成３００、３０２、および／または３０４に従ってキャリアを選択することができる（たとえば、記載のような初期キャリアおよび追加のキャリア）。
【００６２】
図４〜図５は、中継バックホール通信のためにキャリアをアグリゲートするための例示的な方法を示す。説明を簡単にするために、方法を一連の行為として図示し説明するが、いくつかの行為は、１つまたは複数の実施形態によれば、本明細書で図示し説明する順序とは異なる順序で、および／または他の行為と同時に行われるので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００６３】
図４は、中継器とｅＮＢとの間のバックホールリンクの複数のアグリゲートされたキャリアを通じて通信するための例示的な方法４００を示す。
【００６４】
４０２において、バックホールリンクを通じてｅＮＢと通信するために構成されている複数のキャリアのうちの少なくとも第１のキャリアの第１のサブフレームのセットを決定することができる。一例において、複数のキャリアの割り当てをｅＮＢからのキャリア割り当てにおいて受信することができる。キャリア割り当ては、一例において、各キャリアを使用してバックホールリンクを通じて通信するために構成されているサブフレームを指示することができる。この指示は、特定のサブフレームの明示的な指示、そこからサブフレームを導出することができる構成識別子などとすることができる。
【００６５】
４０４において、複数のキャリアのうちの少なくとも第２のキャリアの第２のサブフレームのセットを決定することができる。同様に、ｅＮＢから受信されるキャリア割り当てにおける指示からサブフレームを決定することができる。一例において、第１のサブフレームのセットおよび第２のサブフレームのセットは異なることができる。たとえば、ＵＥとの対応するアクセスリンクキャリアも同様に異なることができる。
【００６６】
４０６において、複数のアクセスリンクキャリアを通じて受信されたデータを、第１のサブフレームのセットおよび第２のサブフレームのセットに基づいて第１のセットのキャリアおよび第２セットのキャリアを通じてｅＮＢに通信することができる。一例において、第２のサブフレームのセットは、サブフレーム中の半二重動作を可能にするために、第１のサブフレームのセットのサブセット（またはその逆）とすることができる。たとえば、第１のサブフレームのセットは、ｅＮＢからの通信を受信するためのダウンリンクサブフレームに関係することができ、第２のサブフレームのセットはダウンリンクサブフレームの少なくともサブセットを含むことができる。加えて、これに関連して、キャリアのうちの１つは、第１のキャリアおよび第２のキャリアに対する制御データ（たとえば、ＡＣＫ／ＮＡＫフィードバック、スケジューリング許可など）を通信するためのＰＣＣとして選択または他の様態で指定することができる。一般に、より大きい数の構成されたバックホールリンクサブフレームを有するキャリアをＰＣＣとすることができる。加えて、第１のキャリアおよび／または第２のキャリアはＦＤＭとすることができ、中継器は全二重において通信することができることを諒解されたい。追加のキャリアを同様に構成することができる。
【００６７】
図５は、中継器のバックホールリンクに対してアグリゲートされたキャリアを割り当てるための例示的な方法５００を示す。
【００６８】
５０２において、中継器とのバックホールリンクに割り当てるための第１のキャリアを決定することができる。たとえば、キャリアは、バックホールリンクを通じて通信するための特定のサブフレーム構成を有するように選択することができる。
【００６９】
５０４において、第１のキャリアに基づいてバックホールリンクに割り当てるための第２のキャリアを選択することができる。一例において、第２のキャリアは、第１のキャリアのサブセットであるサブフレーム構成を有するように選択することができる。記載のように、第１のキャリアのサブフレーム構成としてのサブフレームのサブセット内で構成されているダウンリンクサブフレームを有するように、第２のキャリアを選択することを含むことができる。さらに、キャリアは、構成の一部と同様の時点において選択することができ、かつ／または、キャリアのうちの１つもしくは複数は、初期確立されたキャリアなどに基づいて選択することができる。別の例において、第１のキャリアはＦＤＭとすることができ、第２のキャリアはＦＤＭまたはＴＤＭなどとすることができる。
【００７０】
５０６において、第１のキャリアおよび第２のキャリアを、バックホールリンクを通じて通信するために中継器に割り当てることができる。これは、中継器に（たとえば、バックホールリンクを通じて）キャリア割り当てを通信することを含むことができる。キャリア割り当ては、サブフレーム構成を（たとえば、いずれのサブフレームがダウンリンクのために構成されているかのビットマップのような明示的な指示、構成識別子などによって）指示することができる。さらに、キャリア割り当ては、一例において、いずれのキャリアがＰＣＣであるべきかを指示することができる。
【００７１】
図６は、複数のアグリゲートされたキャリアを使用してバックホールリンクを通じて通信することを可能にするシステム６００の図である。システム６００は、（たとえば、複数のネットワーク技術であり得る）複数の受信アンテナ６０６を通じて１つまたは複数のモバイルデバイス、ｅＮＢ、または中継器６０４から信号（複数の場合もあり）を受信する受信機６１０を有するｅＮＢまたは中継器６０２と、（たとえば、複数のネットワーク技術であり得る）複数の送信アンテナ６０８を通じて１つまたは複数のモバイルデバイス／ｅＮＢ／中継器６０４に送信する送信機６３０とを含む。たとえば、ｅＮＢ６０２は、モバイルデバイス６０４から受信された信号をｅＮＢ６０４に、および／またはその逆に送信する中継ノードとすることができる。受信機６１０は、１つまたは複数の受信アンテナ６０６から情報を受信することができ、受信された情報を復調する復調器６１２と動作可能に結合される。加えて、一例では、受信機６１０は、有線またはワイヤレスバックホールリンクから受信することができる。別個のアンテナとして示してあるが、受信アンテナ６０６のうちの少なくとも１つと、送信アンテナ６０８のうちの対応する１つとは、同じアンテナとして組み合わせることができることを諒解されたい。本明細書で説明する１つまたは複数の態様を実行することに関係する情報を記憶するメモリ６１６に結合されたプロセッサ６１４によって、復調シンボルが分析される。
【００７２】
プロセッサ６１４は、たとえば、受信機６１０によって受信された情報の分析および／または送信機６３０による送信のための情報の生成に専用のプロセッサ、ｅＮＢ６０２の１つまたは複数の構成要素を制御するプロセッサ、および／または受信機６１０によって受信された情報を分析し、送信機６３０による送信のための情報を生成し、ｅＮＢ６０２の１つまたは複数の構成要素を制御するプロセッサであり得る。さらに、プロセッサ６１４は、本明細書で説明する１つまたは複数の機能を実行することができ、および／またはそのような目的のための構成要素と通信することができる。
【００７３】
メモリ６１６は、説明したように、プロセッサ６１４に動作可能に結合され、送信されるべきデータ、受信されたデータ、利用可能なチャネルに関係する情報、分析された信号および／または干渉強度に関連するデータ、割り当てられたチャネル、電力、レートなどに関係する情報、ならびにチャネルを推定し、そのチャネルを介して通信するための任意の他の好適な情報を記憶することができる。メモリ６１６は、加えて、バックホール通信のためにアグリゲートされたキャリアを確立することに関連付けられるプロトコルおよび／またはアルゴリズムなどを記憶することができる。
【００７４】
本明細書で説明するデータストア（たとえば、メモリ６１６）は、揮発性メモリもしくは不揮発性メモリのいずれかであり得るか、または揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ（登録商標））、またはフラッシュメモリを含むことができる。揮発性メモリは、外部キャッシュメモリとして作用するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態において利用可能である。主題のシステムおよび方法のメモリ６１６は、これらおよび任意の他の好適なタイプのメモリを、それらに限定されることなく、備えるものとする。
【００７５】
プロセッサ６１４は、バックホールリンク構成要素２０８および／もしくは２２０と同様とすることができるバックホールリンク構成要素６１８、キャリアアグリゲーティング構成要素２１０と同様とすることができるキャリアアグリゲーティング構成要素６２０、ＰＣＣ／ＳＣＣ決定構成要素２１２および／もしくは２２４と同様とすることができるＰＣＣ／ＳＣＣ決定構成要素６２２、アクセスリンク構成要素２１８と同様とすることができるアクセスリンク構成要素６２４、ならびに／または、キャリア割り当て受信構成要素２２２と同様とすることができるキャリア割り当て受信構成要素６２６にさらに動作可能に結合される。さらに、たとえば、プロセッサ６１４は、変調器６２８を使用して送信されるべき信号を変調し、送信機６３０を使用して変調された信号を送信することができる。送信機６３０は、Ｔｘアンテナ６０８を通じて信号をモバイルデバイスまたはｅＮＢ６０４に送信することができる。さらに、プロセッサ６１４とは別個のものとして図示されているが、バックホールリンク構成要素６１８、キャリアアグリゲーティング構成要素６２０、ＰＣＣ／ＳＣＣ決定構成要素６２２、アクセスリンク構成要素６２４，キャリア割り当て受信構成要素６２６、復調器６１２、および／もしくは変調器６２８は、プロセッサ６１４または複数のプロセッサ（図示せず）の一部とすることができ、ならびに／またはプロセッサ６１４によって実行するための命令としてメモリ６１６中に記憶することができることを諒解されたい。
【００７６】
本明細書における様々な態様は、マルチキャリア構成に関して説明されている。連続キャリアアグリゲーション（ＣＡ）および非連続ＣＡを含む、マルチキャリア構成のいくつかの例が、ＬＴＥ−Ａｄｖａｎｃｅｄモバイルシステムに対して提案されており、その例を図７に示す。連続ＣＡが７００において示されており、複数の利用可能なコンポーネントキャリア７０４、７０６、および７０８が周波数において互いに隣接するものとして割り当てられると行われる。７０２に示す非連続ＣＡにおいて、コンポーネントキャリア７１０、７１２、および７１４は、周波数において隣接しないように割り当てることができる。非連続ＣＡと連続ＣＡの両方が、たとえば、複数のＬＴＥ／コンポーネントキャリアをアグリゲートして、単一ユニットのＬＴＥ−Ａｄｖａｎｃｅｄ  ＵＥとしての役割を果たす。
【００７７】
キャリアが周波数帯域に沿って分離されているため、ＬＴＥ−Ａｄｖａｎｃｅｄ  ＵＥは、複数の無線周波数（ＲＦ）受信ユニットおよび非連続ＣＡを含む複数の高速フーリエ変換を利用することができる。連続ＣＡが使用される場合、すべてのキャリアを通じて受信するためには、１つのＲＦ受信構成要素およびＦＦＴで十分であり得る。非連続ＣＡは、大きい周波数範囲にわたる複数の分離したキャリアを介したデータ送信をサポートするため、伝播パスロス、ドップラー偏移、および他の無線チャネル特性は、異なる周波数帯域においては変動し得る。
【００７８】
したがって、非連続ＣＡ手法の下で広帯域データ送信をサポートするために、方法は、異なる複数のコンポーネントキャリアのコード化、変調、および送信電力を適応的に調整するのに使用され得る。たとえば、ｅＮＢが各コンポーネントキャリアにおける送信電力を固定しているＬＴＥ−Ａｄｖａｎｃｅｄシステムにおいて、各コンポーネントキャリアの有効カバレージまたはサポート可能な変調およびコード化は、異なる場合がある。いずれにせよ、記載のように、キャリア７０４、７０６、および７０８、または７１０、７１２、および７１４は、複数のｅＮＢまたは関係したセルによって割り当てることができ、ＬＴＥ−Ａｄｖａｎｃｅｄ  ＵＥは各々に対するセル識別子を測位サーバに報告することができる。
【００７９】
図８は、インターナショナルモバイルテレコミュニケーション（ＩＭＴ）−Ａｄｖａｎｃｅｄまたは同様のシステムのための、媒体アクセス制御（ＭＡＣ）レイヤにおいて異なるコンポーネントキャリア８０２、８０４、および８０６から送信ブロック（ＴＢ）をアグリゲートするための例示的なデータアグリゲーション８００を示す。ＭＡＣレイヤデータアグリゲーションによって、各コンポーネントキャリア８０２、８０４、および８０６はＭＡＣレイヤ内にそれ自体のハイブリッド自動反復要求（ＨＡＲＱ）エンティティ８０８、８１０、および８１２と、物理レイヤ内にそれ自体の送信構成パラメータ（たとえば、送信電力、復調およびコード化方式、およびマルチアンテナ構成）とを有する。同様に、物理レイヤにおいて、物理レイヤエンティティ８１４、８１６、および８１８を介してコンポーネントキャリアごとに１つのＨＡＲＱエンティティを提供することができる。
【００８０】
一般に、複数のコンポーネントキャリアに対する制御チャネルシグナリングを展開するための３つの異なる手法がある。第１には、ＬＴＥシステム内の制御構造における細かい変更が含まれ、各コンポーネントキャリアにそれ自体のコード化制御チャネルが与えられる。
【００８１】
第２の方法は、異なる複数のコンポーネントキャリアの制御チャネルをともにコード化し、専用のコンポーネントキャリア内に制御チャネルを展開することを含む。複数のコンポーネントキャリアの制御情報を、この専用制御チャネル内のシグナリング内容として統合することができる。結果として、ＬＴＥシステム内の制御チャネル構造との後方互換性が維持され、同時にＣＡにおけるシグナリングオーバヘッドが低減する。
【００８２】
異なる複数のコンポーネントキャリアに対する複数の制御チャネルがともにコード化され、その後、第３のＣＡ方法によって形成される周波数帯域全体にわたって送信される。この手法は、ＵＥ側での電力消費が高いことを引き換えに、制御チャネルにおける低いシグナリングオーバヘッドおよび高い復号性能をもたらす。しかしながら、この方法は、いくつかのＬＴＥシステムと互換性がない場合がある。
【００８３】
さらに、たとえば、ＣＡにおいて、少なくとも２つのキャリアからの制御機能を１つのキャリア上にアグリゲートして、ＰＣＣおよび１つまたは複数の関連ＳＣＣを形成することができる。１つまたは複数のセルまたは関係したｅＮＢによって、ＰＣＣおよび各ＳＣＣの通信リンクを確立することができる。その後、マルチキャリア構成の一例において、ＰＣＣに基づいて通信を制御することができる。
【００８４】
図９は、ＬＴＥネットワークアーキテクチャ９００を示す図である。ＬＴＥネットワークアーキテクチャ９００は発展型パケットシステム（ＥＰＳ）９００と呼ばれる場合がある。ＥＰＳ９００は、１つまたは複数のユーザ機器（ＵＥ）９０２と、発展型ＵＭＴＳ地上波無線アクセスネットワーク（Ｅ−ＵＴＲＡＮ）９０４と、発展型パケットコア（ＥＰＣ）９１０と、ホーム加入者サーバ（ＨＳＳ）９２０と、事業者のＩＰサービス９２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００８５】
Ｅ−ＵＴＲＡＮは、発展型ノードＢ（ｅＮＢ）９０６と他のｅＮＢ９０８とを含む。ｅＮＢ９０６は、ＵＥ９０２に対してユーザプレーンプロトコル終端と制御プレーンプロトコル終端とを与える。ｅＮＢ９０６は、Ｘ２インターフェース（たとえば、バックホール）を介して他のｅＮＢ９０８に接続され得る。ｅＮＢ９０６は、基地局、送受信基地局、無線基地局、無線トランシーバ、トランシーバ機能、基本サービスセット（ＢＳＳ）、拡張サービスセット（ＥＳＳ）、または何らかの他の好適な用語で呼ばれることもある。ｅＮＢ９０６は、ＵＥ９０２にＥＰＣ９１０へのアクセスポイントを与える。ＵＥ９０２の例には、スマートフォン、セルラー電話、セッション開始プロトコル（ＳＩＰ）電話、タブレット、ラップトップ、ノートブック、ウルトラブック、スマートブック、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ９０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００８６】
ｅＮＢ９０６はＳ１インターフェースによってＥＰＣ９１０に接続される。ＥＰＣ９１０は、モビリティ管理エンティティ（ＭＭＥ）９１２と、他のＭＭＥ９１４と、サービングゲートウェイ９１６と、パケットデータネットワーク（ＰＤＮ）ゲートウェイ９１８とを含む。ＭＭＥ９１２は、ＵＥ９０２とＥＰＣ９１０との間のシグナリングを処理する制御ノードである。概して、ＭＭＥ９１２はベアラおよび接続管理を行う。すべてのユーザＩＰパケットはサービングゲートウェイ９１６を通して転送され、サービングゲートウェイ９１６自体はＰＤＮゲートウェイ９１８に接続される。ＰＤＮゲートウェイ９１８はＵＥのＩＰアドレス割振りならびに他の機能を与える。ＰＤＮゲートウェイ９１８は事業者のＩＰサービス９２２に接続される。事業者のＩＰサービス９２２は、インターネットと、イントラネットと、ＩＰ（インターネットプロトコル）マルチメディアサブシステム（ＩＭＳ）と、パケット交換ストリーミングサービス（ＰＳＳ）とを含み得る。
【００８７】
図１０は、ＬＴＥネットワークアーキテクチャにおけるアクセスネットワーク１０００の一例を示す図である。この例では、アクセスネットワーク１０００は、いくつかのセルラー領域（セル）１００２に分割される。１つまたは複数のより低い電力クラスのｅＮＢ１００８は、セル１００２のうちの１つまたは複数と重複するセルラー領域１０１０を有し得る。より低い電力クラスのｅＮＢ１００８は、リモートラジオヘッド（ＲＲＨ）と呼ばれる場合がある。より低い電力クラスのｅＮＢ１００８は、フェムトセル（たとえば、ホームｅＮＢ（ＨｅＮＢ））、ピコセル、またはマイクロセルであり得る。マクロｅＮＢ１００４は各々、それぞれのセル１００２に割り当てられ、セル１００２中のすべてのＵＥ１００６にＥＰＣ９１０へのアクセスポイントを与えるように構成される。アクセスネットワーク１０００のこの例には集中コントローラはないが、代替構成では集中コントローラが使用され得る。ｅＮＢ１００４は、無線ベアラ制御、承認制御、モビリティ制御、スケジューリング、セキュリティ、およびサービングゲートウェイ９１６への接続を含む、すべての無線関係機能を担当する。
【００８８】
アクセスネットワーク１０００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡ（単一キャリア周波数分割多元接続）がＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の通信規格に容易に拡張され得る。例として、これらの概念は、エボリューション−データオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））、ならびにＴＤ−ＳＣＤＭＡ、ＴＤＭＡを採用するグローバルシステムフォーモバイルコミュニケーション（ＧＳＭ）（登録商標）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびＯＦＤＭＡを採用するＦｌａｓｈ−ＯＦＤＭなど、ＣＤＭＡの他の変形体を採用するユニバーサルテレストリアルラジオアクセス（ＵＴＲＡ）に拡張され得る。ＵＴＲＡ、Ｅ−ＵＴＲＡ、ＵＭＴＳ、ＬＴＥおよびＧＳＭは、３ＧＰＰという組織からの文書に記載されている。ＣＤＭＡ２０００およびＵＭＢは、３ＧＰＰ２という組織からの文書に記載されている。採用される実際のワイヤレス通信規格および多元接続技術は、特定の適用例およびシステムに課せられる全体的な設計制約に依存することになる。
【００８９】
ｅＮＢ１００４は、ＭＩＭＯ技術をサポートする複数のアンテナを有し得る。ＭＩＭＯ技術の使用により、ｅＮＢ１００４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ１００６に送信されるか、または全体的なシステム容量を増加させるために複数のＵＥ１００６に送信され得る。これは、各データストリームを空間的にプリコードし（たとえば、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともにＵＥ（複数の場合もあり）１００６に到着し、これにより、ＵＥ（複数の場合もあり）１００６の各々がそのＵＥ１００６に宛てられた１つまたは複数のデータストリームを復元することが可能になる。ＵＬ上で、各ＵＥ１００６は、空間的にプリコードされたデータストリームを送信し、これにより、ｅＮＢ１００４は、空間的にプリコードされた各データストリームのソースを識別することが可能になる。
【００９０】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００９１】
明瞭にするために、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを通じてデータを変調するスペクトル拡散技法である。サブキャリアは正確な周波数の間隔をおいて離れて配置される。間隔をおいて配置することは、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００９２】
図１１は、ＬＴＥにおけるＤＬフレーム構造の一例を示す図１１００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ１１０２、１１０４として示されるリソース要素のいくつかはＤＬ基準信号（ＤＬ−ＲＳ）を含む。ＤＬ−ＲＳは、（共通ＲＳと呼ばれることもある）セル固有ＲＳ（ＣＲＳ）１１０２と、ＵＥ固有ＲＳ（ＵＥ−ＲＳ）（復調用基準信号（ＤＭ−ＲＳ）としても知られる）１１０４とを含む。ＵＥ−ＲＳ１１０４は、対応する物理ＤＬ共有チャネル（ＰＤＳＣＨ）がマッピングされるリソースブロック上でのみ送信される。各リソース要素によって搬送されるビット数は変調方式に依存する。すなわち、ＵＥが受信するリソースブロックが多いほど、また変調方式が高いほど、ＵＥのデータレートは高くなる。
【００９３】
図１２は、ＬＴＥにおけるＵＬフレーム構造の一例を示す図１２００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを割り当てることを単一のＵＥに可能にし得る連続サブキャリアを含むデータセクションを生じる。
【００９４】
ＵＥには、ｅＮＢに制御情報を送信するために制御セクション中のリソースブロック１２１０ａ、１２１０ｂが割り当てられ得る。ＵＥには、ｅＮＢにデータを送信するためにデータセクション中のリソースブロック１２２０ａ、１２２０ｂも割り当てられ得る。ＵＥは、制御セクション中の割り当てられたリソースブロック上の物理ＵＬ制御チャネル（ＰＵＣＣＨ）中で制御情報を送信し得る。ＵＥは、データセクション中の割り当てられたリソースブロック上の物理ＵＬ共有チャネル（ＰＵＳＣＨ）中でデータのみまたはデータと制御情報の両方を送信し得る。ＵＬ送信は、サブフレームの両方のスロットにわたり得、周波数上でホッピングし得る。
【００９５】
初期システムアクセスを実行し、物理ランダムアクセスチャネル（ＰＲＡＣＨ）１２３０中でＵＬ同期を達成するためにリソースブロックのセットが使用され得る。ＰＲＡＣＨ１２３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００９６】
図１３は、ＬＴＥにおけるユーザプレーンおよび制御プレーンのための無線プロトコルアーキテクチャの一例を示す図１３００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ１３０６と呼ぶ。レイヤ２（Ｌ２レイヤ）１３０８は、物理レイヤ１３０６の上にあり、物理レイヤ１３０６を介したＵＥとｅＮＢとの間のリンクを担当する。
【００９７】
ユーザプレーンでは、Ｌ２レイヤ１３０８は、ネットワーク側のｅＮＢにおいて終端される、媒体アクセス制御（ＭＡＣ）副レイヤ１３１０と、無線リンク制御（ＲＬＣ）副レイヤ１３１２と、パケットデータコンバージェンスプロトコル（ＰＤＣＰ）１３１４副レイヤとを含む。図示されていないが、ＵＥは、ネットワーク側のＰＤＮゲートウェイで終端されるネットワークレイヤ（たとえば、ＩＰレイヤ）と、接続の他端（たとえば、ファーエンドＵＥ、サーバなど）で終端されるアプリケーションレイヤとを含む、Ｌ２レイヤ１３０８の上のいくつかの上位レイヤを有することができる。
【００９８】
ＰＤＣＰサブレイヤ１３１４は、異なる無線ベアラと論理チャネルとの間で多重化を行う。ＰＤＣＰサブレイヤ１３１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ１３１２は、上位レイヤデータパケットのセグメンテーションおよび再統合と、紛失データパケットの再送信と、ハイブリッド自動反復要求（ＨＡＲＱ）による、順が狂った受信を補正するデータパケットの並べ替えとを行う。ＭＡＣサブレイヤ１３１０は、論理チャネルとトランスポートチャネルとの間の多重化を行う。ＭＡＣサブレイヤ１３１０はまた、ＵＥの間で１つのセル内の様々な無線リソース（たとえば、リソースブロック）を割り振ることを担当する。ＭＡＣサブレイヤ１３１０はまたＨＡＲＱ動作を担当する。
【００９９】
制御プレーンでは、ＵＥおよびｅＮＢのための無線プロトコルアーキテクチャは、制御プレーンのためのヘッダ圧縮機能がないことを除いて、物理レイヤ１３０６およびＬ２レイヤ１３０８について実質的に同じである。制御プレーンはまた、レイヤ３（Ｌ３レイヤ）中に無線リソース制御（ＲＲＣ）サブレイヤ１３１６を含む。ＲＲＣサブレイヤ１３１６は、無線リソース（たとえば、無線ベアラ）を取得することと、ｅＮＢとＵＥとの間のＲＲＣシグナリングを使用して下位レイヤを構成することとを担当する。
【０１００】
図１４は、アクセスネットワーク中でＵＥ１４５０と通信しているｅＮＢ１４１０のブロック図である。ＤＬでは、コアネットワークからの上位レイヤパケットが、コントローラ／プロセッサ１４７５に与えられる。コントローラ／プロセッサ１４７５は、Ｌ２レイヤの機能を実装する。ＤＬでは、コントローラ／プロセッサ１４７５は、様々な優先度メトリックに基づいてヘッダ圧縮と、暗号化と、パケットのセグメント化および並べ替えと、論理チャネルとトランスポートチャネルとの間の多重化と、ＵＥ１４５０への無線リソース割振りとを行う。コントローラ／プロセッサ１４７５はまた、ＨＡＲＱ動作と、紛失パケットの再送信と、ＵＥ１４５０へのシグナリングとを担当する。
【０１０１】
送信（ＴＸ）プロセッサ１４１６は、Ｌ１レイヤ（すなわち、物理レイヤ）のための様々な信号処理機能を実装する。信号処理機能は、ＵＥ１４５０における前方誤り訂正（ＦＥＣ）と、様々な変調方式（たとえば、２位相偏移変調（ＢＰＳＫ）、４位相偏移変調（ＱＰＳＫ）、Ｍ位相偏移変調（Ｍ−ＰＳＫ）、多値直交振幅変調（Ｍ−ＱＡＭ））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域内で基準信号（たとえば、パイロット）と多重化され、次いで逆高速フーリエ変換（ＩＦＦＴ）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器１４７４からのチャネル推定値は、符号化および変調方式を判断するために、ならびに空間処理のために使用され得る。チャネル推定値は、ＵＥ１４５０によって送信される基準信号および／またはチャネル状態フィードバックから導出され得る。次いで、各空間ストリームは、別個の送信機１４１８ＴＸを介して異なるアンテナ１４２０に与えられる。各送信機１４１８ＴＸは、送信のためにそれぞれの空間ストリームでＲＦキャリアを変調する。
【０１０２】
ＵＥ１４５０において、各受信機１４５４ＲＸは、それのそれぞれのアンテナ１４５２を通して信号を受信する。各受信機１４５４ＲＸは、ＲＦキャリア上に変調された情報を復元し、受信（ＲＸ）プロセッサ１４５６に情報を与える。ＲＸプロセッサ１４５６は、Ｌ１レイヤの様々な信号処理機能を実装する。ＲＸプロセッサ１４５６は、ＵＥ１４５０に宛てられた任意の空間ストリームを復元するために、情報に対して空間処理を実行する。複数の空間ストリームがＵＥ１４５０に宛てられた場合、それらはＲＸプロセッサ１４５６によって単一のＯＦＤＭシンボルストリームに合成され得る。ＲＸプロセッサ１４５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ１４１０によって送信される、可能性が最も高い信号のコンスタレーションポイントを判断することによって復元され、復調される。これらの軟判定は、チャネル推定器１４５８によって計算されるチャネル推定値に基づき得る。軟判定は、次いで、物理チャネル上でｅＮＢ１４１０によって最初に送信されたデータおよび制御信号を復元するために復号され、デインターリーブされる。データおよび制御信号は、次いでコントローラ／プロセッサ１４５９に与えられる。
【０１０３】
コントローラ／プロセッサ１４５９はＬ２レイヤを実装する。コントローラ／プロセッサ１４５９は、プログラムコードとデータとを記憶するメモリ１４６０に関連し得る。メモリ１４６０は、コンピュータ可読媒体と呼ばれることがある。ＵＬでは、制御／プロセッサ１４５９は、コアネットワークからの上位レイヤパケットを復元するために、トランスポートチャネルと論理チャネルとの間での多重分離と、パケット再統合と、復号と、ヘッダ復元と、制御信号処理とを行う。上位レイヤパケットは、次いで、Ｌ２レイヤの上のすべてのプロトコルレイヤを表すデータシンク１４６２に与えられる。また、様々な制御信号がＬ３処理のためにデータシンク１４６２に与えられ得る。コントローラ／プロセッサ１４５９はまた、ＨＡＲＱ動作をサポートするために肯定応答（ＡＣＫ）および／または否定応答（ＮＡＣＫ）プロトコルを使用した誤り検出を担当する。
【０１０４】
ＵＬでは、データソース１４６７は、コントローラ／プロセッサ１４５９に上位レイヤパケットを与えるために使用される。データソース１４６７は、Ｌ２レイヤの上のすべてプロトコルレイヤを表す。ｅＮＢ１４１０によるＤＬ送信に関して説明した機能と同様に、コントローラ／プロセッサ１４５９は、ヘッダ圧縮と、暗号化と、パケットのセグメント化および並べ替えと、ｅＮＢ１４１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ１４５９はまた、ＨＡＲＱ動作、紛失パケットの再送信、およびｅＮＢ１４１０へのシグナリングを担当する。
【０１０５】
ｅＮＢ１４１０によって送信される基準信号またはフィードバックからの、チャネル推定器１４５８によって導出されるチャネル推定値は、適切な符号化および変調方式を選択することと、空間処理を可能にすることとを行うために、ＴＸプロセッサ１４６８によって使用され得る。ＴＸプロセッサ１４６８によって生成される空間ストリームは、別個の送信機１４５４ＴＸを介して異なるアンテナ１４５２に与えられる。各送信機１４５４ＴＸは、送信のためにそれぞれの空間ストリームでＲＦキャリアを変調する。
【０１０６】
ＵＬ送信は、ＵＥ１４５０における受信機機能に関して説明した方法と同様の方法でｅＮＢ１４１０において処理される。各受信機１４１８ＲＸは、それのそれぞれのアンテナ１４２０を通して信号を受信する。各受信機１４１８ＲＸは、ＲＦキャリア上で変調された情報を復元し、ＲＸプロセッサ１４７０に情報を与える。ＲＸプロセッサ１４７０はＬ１レイヤを実装し得る。
【０１０７】
コントローラ／プロセッサ１４７５はＬ２レイヤを実装する。コントローラ／プロセッサ１４７５は、プログラムコードとデータとを記憶するメモリ１４７６に関連し得る。メモリ１４７６は、コンピュータ可読媒体と呼ばれることがある。ＵＬでは、制御／プロセッサ１４７５は、ＵＥ１４５０からの上位レイヤパケットを復元するために、トランスポートチャネルと論理チャネルとの間での多重分離と、パケット再統合と、復号と、ヘッダ復元と、制御信号処理とを行う。コントローラ／プロセッサ１４７５からの上位レイヤパケットはコアネットワークに与えられ得る。コントローラ／プロセッサ１４７５はまた、ＨＡＲＱ動作をサポートするためにＡＣＫおよび／またはＮＡＣＫプロトコルを使用した誤り検出を担う。
【０１０８】
本明細書で開示する実施形態に関して説明した様々な例示的な論議、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末内に個別構成要素として常駐することもできる。
【０１０９】
１つまたは複数の態様では、説明した機能、方法、またはアルゴリズムは、ハードウェア、ソフトウェア／ファームウェア、またはそれらの組合せで実装され得る。ソフトウェア／ファームウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。また、実質的にいかなる接続もコンピュータ可読媒体と呼ばれ得る。たとえば、ソフトウェア／ファームウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１１０】
上記の開示は、例示的な態様および／または実施形態について論じたが、添付の特許請求の範囲によって定義された説明した態様および／または実施形態の範囲から逸脱することなく、様々な変更および改変を本明細書で行うことができることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段の規定がない限り、任意の他の態様および／または実施形態の全部または一部とともに利用され得る。
以下に、本願出願の当初の特許請求の範囲に記載された発明を付記する。
［Ｃ１］
バックホールリンクにわたってキャリアをアグリゲートするための方法であって、
バックホールリンクを通じて発展型ノードＢ（ｅＮＢ）と通信するように構成された、複数のキャリアのうちの少なくとも第１のキャリアの第１のサブフレームのセットを決定することと、
バックホールリンク通信のために構成された、前記複数のキャリアのうちの少なくとも第２のキャリアの第２のサブフレームのセットを決定することと、ここで、前記第２のサブフレームのセットは、前記第１のサブフレームのセットとは異なる、
複数のアクセスリンクキャリアを通じて受信されたデータを、少なくとも前記第１のサブフレームのセットおよび前記第２のサブフレームのセットに基づいて前記第１のキャリアおよび前記第２のキャリアを通じて前記ｅＮＢに通信することと
を備える、方法。
［Ｃ２］
前記第２のサブフレームのセットは、前記第１のサブフレームのセットのサブセットである、
［Ｃ１］に記載の方法。
［Ｃ３］
前記第２のサブフレームのセットが前記第１のサブフレームのセットのサブセットであるという決定に少なくとも部分的に基づいて、前記第１のキャリアをプライマリコンポーネントキャリアとして決定することをさらに備える、
［Ｃ１］に記載の方法。
［Ｃ４］
前記第２のキャリア上で受信されるデータ送信について、前記第１のキャリア上で肯定応答／否定応答（ＡＣＫ／ＮＡＫ）を送信することをさらに備える、
［Ｃ３］に記載の方法。
［Ｃ５］
前記第１のキャリアに対して指定されている第１のＡＣＫ／ＮＡＫ送信タイムラインに基づいて、前記第２のキャリアに対する第２のＡＣＫ／ＮＡＫ送信タイムラインを決定することをさらに備える、
［Ｃ４］に記載の方法。
［Ｃ６］
前記第２のキャリア上でのデータ送信について、前記第１のキャリア上でダウンリンク許可を受信することをさらに備え、前記ダウンリンク許可は、前記第１のキャリアに対するダウンリンク許可送信タイムラインに従って受信される、
［Ｃ３］に記載の方法。
［Ｃ７］
前記第２のキャリア上でのデータ送信について、前記第１のキャリア上でアップリンク許可を受信することをさらに備え、前記アップリンク許可は、前記第１のキャリアに対するアップリンク許可送信タイムラインに従って受信される、
［Ｃ３］に記載の方法。
［Ｃ８］
前記第２のキャリア上でのデータ送信について、前記第１のキャリア上で肯定応答／否定応答（ＡＣＫ／ＮＡＫ）を受信することと、
前記第１のキャリアに対して指定されている第１のＡＣＫ／ＮＡＫ受信タイムラインに基づいて、前記第２のキャリアに対する第２のＡＣＫ／ＮＡＫ受信タイムラインを決定することと
をさらに備える、［Ｃ３］に記載の方法。
［Ｃ９］
前記第１のキャリアは、前記第１のサブフレームのセットのうちの１つまたは複数のサブフレームにおいてダウンリンクおよびアップリンク通信を提供するために周波数分割複信（ＦＤＤ）を使用し、前記第１のキャリアは、前記複数のアクセスリンクキャリアのうちの少なくとも１つでもある、
［Ｃ１］に記載の方法。
［Ｃ１０］
前記第１のサブフレームのセット内のダウンリンクサブフレームの数は、バックホールリンク通信のための前記第１のサブフレームのセット内のアップリンクサブフレームの数と同じである、
［Ｃ９］に記載の方法。
［Ｃ１１］
前記第１のサブフレームのセット内のダウンリンクサブフレームの数は、バックホールリンク通信のための前記第１のサブフレームのセット内のアップリンクサブフレームの数よりも大きい、
［Ｃ９］に記載の方法。
［Ｃ１２］
前記第２のキャリアは、前記第２のサブフレームのセットのうちの所与のサブフレームにおいてダウンリンクまたはアップリンク通信を提供するために時分割複信（ＴＤＤ）を使用する、
［Ｃ１］に記載の方法。
［Ｃ１３］
前記第１のキャリアは、アクセスリンク通信のためには構成されず、前記第２のサブフレームのセットのうちの少なくとも１つのサブフレームはアクセスリンク通信のために構成される、
［Ｃ１］に記載の方法。
［Ｃ１４］
前記複数のキャリアにおいて第３のキャリアを決定することをさらに備え、前記第１のキャリアは、バックホールリンク通信のために構成され、前記第２のキャリアは、バックホールリンク通信およびアクセスリンク通信のために構成され、前記第３のキャリアは、アクセスリンク通信のために構成される、
［Ｃ１］に記載の方法。
［Ｃ１５］
バックホールリンクにわたってキャリアをアグリゲートするための装置であって、
バックホールリンクを通じて発展型ノードＢ（ｅＮＢ）と通信するように構成された、複数のキャリアのうちの少なくとも第１のキャリアの第１のサブフレームのセットを決定するための手段と、前記複数のキャリアのうちの少なくとも第２のキャリアの第２のサブフレームのセットを決定するための手段と、ここで、前記第２のサブフレームのセットは前記第１のサブフレームのセットとは異なる、
複数のアクセスリンクキャリアを通じて受信されたデータを、少なくとも前記第１のサブフレームのセットおよび前記第２のサブフレームのセットに基づいて前記第１のキャリアおよび前記第２のキャリアを通じて前記ｅＮＢに通信するための手段と
を備える、装置。
［Ｃ１６］
前記第２のサブフレームのセットは、前記第１のサブフレームのセットのサブセットである、
［Ｃ１５］に記載の装置。
［Ｃ１７］
前記第２のサブフレームのセットが前記第１のサブフレームのセットのサブセットであるという決定に少なくとも部分的に基づいて、前記第１のキャリアをプライマリコンポーネントキャリアとして決定するための手段をさらに備える、
［Ｃ１５］に記載の装置。
［Ｃ１８］
前記通信するための手段は、前記第１のキャリアを通じて、前記第２のキャリアに対するＡＣＫ／ＮＡＫフィードバックおよびダウンリンク／アップリンク許可を受信する、
［Ｃ１７］に記載の装置。
［Ｃ１９］
前記第１のキャリアは、前記第１のサブフレームのセットのうちの１つまたは複数のサブフレームにおいてダウンリンクおよびアップリンク通信を提供するために周波数分割複信（ＦＤＤ）を使用し、前記第１のキャリアは、前記複数のアクセスリンクキャリアのうちの少なくとも１つでもある、
［Ｃ１５］に記載の装置。
［Ｃ２０］
前記第２のキャリアは、前記第２のサブフレームのセットのうちの所与のサブフレームにおいてダウンリンクまたはアップリンク通信を提供するために時分割複信（ＴＤＤ）を使用する、
［Ｃ１５］に記載の装置。
［Ｃ２１］
コンピュータに、バックホールリンクを通じて発展型ノードＢ（ｅＮＢ）と通信するように構成された、複数のキャリアのうちの少なくとも第１のキャリアの第１のサブフレームのセットを決定させるためのコードと、
前記コンピュータに、バックホールリンク通信のために構成された、前記複数のキャリアのうちの少なくとも第２のキャリアの第２のサブフレームのセットを決定させるためのコードと、ここで、前記第２のサブフレームのセットは前記第１のサブフレームのセットとは異なる、
前記コンピュータに、複数のアクセスリンクキャリアを通じて受信されたデータを、少なくとも前記第１のサブフレームのセットおよび前記第２のサブフレームのセットに基づいて前記第１のキャリアおよび前記第２のキャリアを通じて前記ｅＮＢに通信させるためのコードと
を備えるコンピュータ可読媒体
を備える、コンピュータプログラム製品。
［Ｃ２２］
前記第２のサブフレームのセットは、前記第１のサブフレームのセットのサブセットである、
［Ｃ２１］に記載のコンピュータプログラム製品。
［Ｃ２３］
前記コンピュータ可読媒体は、前記コンピュータに、前記第２のサブフレームのセットが前記第１のサブフレームのセットのサブセットであるという決定に少なくとも部分的に基づいて、前記第１のキャリアをプライマリコンポーネントキャリアとして決定させるためのコードをさらに備える、
［Ｃ２１］に記載のコンピュータプログラム製品。
［Ｃ２４］
前記コンピュータに通信させるための前記コードは、前記第１のキャリアを通じて、前記第２のキャリアに対するＡＣＫ／ＮＡＣＫフィードバックおよびダウンリンク／アップリンク許可を受信する、
［Ｃ２３］に記載のコンピュータプログラム製品。
［Ｃ２５］
前記第１のキャリアは、前記第１のサブフレームのセットのうちの１つまたは複数のサブフレームにおいてダウンリンクおよびアップリンク通信を提供するために周波数分割複信（ＦＤＤ）を使用し、前記第１のキャリアは、前記複数のアクセスリンクキャリアのうちの少なくとも１つでもある、
［Ｃ２１］に記載のコンピュータプログラム製品。
［Ｃ２６］
前記第２のキャリアは、前記第２のサブフレームのセットのうちの所与のサブフレームにおいてダウンリンクまたはアップリンク通信を提供するために時分割複信（ＴＤＤ）を使用する、
［Ｃ２１］に記載のコンピュータプログラム製品。
［Ｃ２７］
バックホールリンクにわたってキャリアをアグリゲートするためのワイヤレス通信デバイスであって、
プロセッサと、
前記プロセッサと電子通信しているメモリと、
前記メモリに記憶された命令と
を備え、前記命令は、前記プロセッサによって、
バックホールリンクを通じて発展型ノードＢ（ｅＮＢ）と通信するように構成された、複数のキャリアのうちの少なくとも第１のキャリアの第１のサブフレームのセットを決定することと、
バックホールリンク通信のために構成された、前記複数のキャリアのうちの少なくとも第２のキャリアの第２のサブフレームのセットを決定することと、ここで、前記第２のサブフレームのセットは、前記第１のサブフレームのセットとは異なる、
複数のアクセスリンクキャリアを通じて受信されたデータを、少なくとも前記第１のサブフレームのセットおよび前記第２のサブフレームのセットに基づいて前記第１のキャリアおよび前記第２のキャリアを通じて前記ｅＮＢに通信することと
を行うために実行可能である、ワイヤレス通信デバイス。
［Ｃ２８］
前記第２のサブフレームのセットは、前記第１のサブフレームのセットのサブセットである、
［Ｃ２７］に記載のワイヤレス通信デバイス。
［Ｃ２９］
前記命令は、前記プロセッサによって、さらに、前記第２のサブフレームのセットが前記第１のサブフレームのセットのサブセットであるという決定に少なくとも部分的に基づいて、前記第１のキャリアをプライマリコンポーネントキャリアとして決定するために実行可能である、
［Ｃ２７］に記載のワイヤレス通信デバイス。
［Ｃ３０］
前記命令は、前記プロセッサによって、前記第１のキャリアを通じて、前記第２のキャリアに対するＡＣＫ／ＮＡＣＫフィードバックおよびダウンリンク／アップリンク許可を通信受信するために実行可能である、
［Ｃ２９］に記載のワイヤレス通信デバイス。
［Ｃ３１］
前記第１のキャリアは、前記第１のサブフレームのセットのうちの１つまたは複数のサブフレームにおいてダウンリンクおよびアップリンク通信を提供するために周波数分割複信（ＦＤＤ）を使用し、前記第１のキャリアは、前記複数のアクセスリンクキャリアのうちの少なくとも１つでもある、
［Ｃ２７］に記載のワイヤレス通信デバイス。
［Ｃ３２］
前記第２のキャリアは、前記第２のサブフレームのセットのうちの所与のサブフレームにおいてダウンリンクまたはアップリンク通信を提供するために時分割複信（ＴＤＤ）を使用する、
［Ｃ２７］に記載のワイヤレス通信デバイス。
［Ｃ３３］
バックホールリンクにわたってキャリアをアグリゲートするための装置であって、
バックホールリンクを通じて発展型ノードＢ（ｅＮＢ）と通信するように構成された、複数のキャリアのうちの少なくとも第１のキャリアの第１のサブフレームのセットを決定し、前記複数のキャリアのうちの少なくとも第２のキャリアの第２のサブフレームのセットを決定するためのキャリア割り当て受信構成要素と、ここで、前記第２のサブフレームのセットは前記第１のサブフレームのセットとは異なる、
複数のアクセスリンクキャリアを通じて受信されたデータを、少なくとも前記第１のサブフレームのセットおよび前記第２のサブフレームのセットに基づいて前記第１のキャリアおよび前記第２のキャリアを通じて前記ｅＮＢに通信するためのバックホールリンク構成要素と
を備える、装置。
［Ｃ３４］
前記第２のサブフレームのセットは、前記第１のサブフレームのセットのサブセットである、
［Ｃ３３］に記載の装置。
［Ｃ３５］
前記第２のサブフレームのセットが前記第１のサブフレームのセットのサブセットであるという決定に少なくとも部分的に基づいて、前記第１のキャリアをＰＣＣとして決定するための、プライマリコンポーネントキャリア（ＰＣＣ）決定構成要素をさらに備える、
［Ｃ３３］に記載の装置。
［Ｃ３６］
前記バックホールリンク構成要素は、前記第２のキャリア上で受信されるデータ送信について、前記第１のキャリア上で肯定応答／否定応答（ＡＣＫ／ＮＡＫ）を送信する、
［Ｃ３５］に記載の装置。
［Ｃ３７］
前記バックホールリンク構成要素は、前記第１のキャリアに対して指定されている第１のＡＣＫ／ＮＡＫ送信タイムラインに基づいて、前記第２のキャリアに対する第２のＡＣＫ／ＮＡＫ送信タイムラインを決定する、
［Ｃ３６］に記載の装置。
［Ｃ３８］
前記バックホールリンク構成要素は、前記第２のキャリア上でのデータ送信について、前記第１のキャリア上でダウンリンク許可を受信し、前記ダウンリンク許可は、前記第１のキャリアに対するダウンリンク許可送信タイムラインに従って受信される、
［Ｃ３５］に記載の装置。
［Ｃ３９］
前記バックホールリンク構成要素は、前記第２のキャリア上でのデータ送信について、前記第１のキャリア上でアップリンク許可を受信し、前記アップリンク許可は、前記第１のキャリアに対するアップリンク許可送信タイムラインに従って受信される、
［Ｃ３５］に記載の装置。
［Ｃ４０］
前記バックホールリンク構成要素は、前記第２のキャリア上でのデータ送信について、前記第１のキャリア上で肯定応答／否定応答（ＡＣＫ／ＮＡＫ）を受信し、前記第１のキャリアに対して指定されている第１のＡＣＫ／ＮＡＫ受信タイムラインに基づいて、前記第２のキャリアに対する第２のＡＣＫ／ＮＡＫ受信タイムラインを決定する、
［Ｃ３５］に記載の装置。
［Ｃ４１］
前記第１のキャリアは、前記第１のサブフレームのセットのうちの１つまたは複数のサブフレームにおいてダウンリンクおよびアップリンク通信を提供するために周波数分割複信（ＦＤＤ）を使用し、前記第１のキャリアは、前記複数のアクセスリンクキャリアのうちの少なくとも１つでもある、
［Ｃ３５］に記載の装置。
［Ｃ４２］
前記第１のサブフレームのセット内のダウンリンクサブフレームの数は、バックホールリンク通信のための前記第１のサブフレームのセット内のアップリンクサブフレームの数と同じである、
［Ｃ４１］に記載の装置。
［Ｃ４３］
前記第１のサブフレームのセット内のダウンリンクサブフレームの数は、バックホールリンク通信のための前記第１のサブフレームのセット内のアップリンクサブフレームの数よりも大きい、
［Ｃ４１］に記載の装置。
［Ｃ４４］
前記第２のキャリアは、前記第２のサブフレームのセットのうちの所与のサブフレームにおいてダウンリンクまたはアップリンク通信を提供するために時分割複信（ＴＤＤ）を使用する、
［Ｃ３３］に記載の装置。
［Ｃ４５］
前記第１のキャリアは、アクセスリンク通信のためには構成されず、前記第２のサブフレームのセットのうちの少なくとも１つのサブフレームはアクセスリンク通信のために構成される、
［Ｃ３３］に記載の装置。
［Ｃ４６］
前記キャリア割り当て受信構成要素は、前記複数のキャリアにおいて第３のキャリアを決定し、前記第１のキャリアはバックホールリンク通信のために構成され、前記第２のキャリアはバックホールリンク通信およびアクセスリンク通信のために構成され、前記第３のキャリアはアクセスリンク通信のために構成される、
［Ｃ３３］に記載の装置。
【図１】
0006356208.tif 000008
【図２】
0006356208.tif 000009
【図３】
0006356208.tif 000010
【図４】
0006356208.tif 000011
【図５】
0006356208.tif 000012
【図６】
0006356208.tif 000013
【図７】
0006356208.tif 000014
【図８】
0006356208.tif 000015
【図９】
0006356208.tif 000016
【図１０】
0006356208.tif 000017
【図１１】
0006356208.tif 000018
【図１２】
0006356208.tif 000019
【図１３】
0006356208.tif 000020
【図１４】
0006356208.tif 000021